(57)【特許請求の範囲】
【請求項１】
複数の端末装置を収容し、他の通信装置との間にＳＩＰを介したセッションを確立して音声通信を行う通信装置であって、
前記複数の端末装置のうち、１つの端末装置からの呼要求に応じて、前記他の通信装置との間に１つのセッションを確立して音声通信経路を設定し、
前記複数の端末装置のうち、前記１つの端末装置とは異なる端末装置からの呼要求に応じて、前記１つのセッションにおいて、前記音声通信経路に加えて該音声通信経路とは異なる音声通信経路を追加設定すること、を特徴とする通信装置。
【請求項２】
請求項１に記載の通信装置であって、
前記他の通信装置との間に音声通信経路を設定する際に、前記他の通信装置との間に前記１つのセッションが確立している場合には、前記他の通信装置にＩＮＶＩＴＥメッセージ以外のＳＩＰメッセージを用いて呼要求を送信し、前記１つのセッションにおいて設定されている前記音声通信経路とは異なる音声通信経路を設定すること、を特徴とする通信装置。
【請求項３】
請求項２に記載の通信装置であって、
前記他の通信装置との間に設定する前記音声通信経路の帯域は、前記１つのセッションにおける帯域の半分以下であること、を特徴とする通信装置。
【請求項４】
請求項１に記載の通信装置であって、
前記他の通信装置との間に設定する前記音声通信経路の帯域は、前記音声通信経路の各々の帯域を合算した値が、前記１つのセッションにおける帯域以下になるようにされていること、を特徴とする通信装置。
【請求項５】
請求項４に記載の通信装置であって、
前記他の通信装置との間に設定する前記音声通信経路は、前記帯域に対応した符号化方式が選択されること、を特徴とする通信装置。
【請求項６】
第１の通信装置及び第２の通信装置の間でＳＩＰを介したセッションを確立して音声通信を行う通信システムであって、
前記第１の通信装置及び前記第２の通信装置の間で音声通信を接続する際に、前記第１の通信装置及び前記第２の通信装置の間に前記セッションが確立しており、前記音声通信が接続されている場合には、前記第１の通信装置及び前記第２の通信装置の何れか一方から何れか他方にＩＮＶＩＴＥメッセージ以外のＳＩＰメッセージを用いて呼要求を送信して、前記セッションにおいて、前記音声通信に加えて該音声通信とは異なる音声通信を追加接続すること、を特徴とする通信システム。
【請求項７】
請求項６に記載の通信システムであって、
前記第１の通信装置及び前記第２の通信装置の間で行う音声通信の帯域は、前記セッションにおける帯域の半分以下であること、を特徴とする通信システム。
【請求項８】
請求項６に記載の通信システムであって、
前記第１の通信装置及び前記第２の通信装置の間で行う音声通信の帯域は、前記音声通信の各々の帯域を合算した値が、前記セッションにおける帯域以下になるようにされていること、を特徴とする通信システム。
【請求項９】
請求項８に記載の通信システムであって、
前記第１の通信装置及び前記第２の通信装置の間で行う音声通信は、前記帯域に対応した符号化方式が選択されること、を特徴とする通信システム。
【請求項１０】
ＳＩＰを介したセッションを確立して音声通信を行う通信装置による通信方法であって、
他の通信装置との間で音声通信を接続する際に、前記他の通信装置との間に前記セッションが確立しており前記音声通信が接続されている場合には、前記他の通信装置にＩＮＶＩＴＥメッセージ以外のＳＩＰメッセージを用いて呼要求を送信して、前記セッションにおいて、前記音声通信に加えて該音声通信とは異なる音声通信を追加接続すること、を特徴とする通信方法。
【発明の詳細な説明】
【技術分野】
【０００１】
通信装置間でＳＩＰによるセッションを確立することで、当該セッションにおいて音声通信を行うことができるようにする技術に関する。
【背景技術】
【０００２】
ＩＰ（Internet Protocol）電話通信において、ネットワーク同士を接続するためにゲートウェイ（ＧＷ）といった中継装置が用いられている。
【０００３】
例えば、特許文献１では、公衆ＳＩＰ（Session Initiation Protocol）網とＩＰセントレックス網とを接続するためにＳＩＰＧＷが用いられている。
【０００４】
【特許文献１】特開２００６−３０３８４０号公報
【発明の開示】
【発明が解決しようとする課題】
【０００５】
従来の中継装置においては、ネットワーク同士における情報の送受信を中継するものであって、中継装置間におけるセッションの管理は行っていなかった。
【０００６】
この点、既に確立されているセッションに他の通話を割り込ませることができれば、例えば、セッション毎に課金がされているような場合には、通話料を低減することができる。
【０００７】
そこで、本発明は、複数の通信（通話）を一つのＳＩＰセッションで行うことのできる技術を提供することを目的とする。
【課題を解決するための手段】
【０００８】
以上の課題を解決するために、本発明は、音声通信を接続する際に、通信装置間で既に確立されているセッションにおいて、当該音声通信を行うことができるようにする。
【０００９】
例えば、本発明は、複数の端末装置を収容し、他の通信装置との間にＳＩＰを介したセッションを確立して音声通信を行う通信装置であって、前記複数の端末装置のうち、１つの端末装置からの呼要求に応じて、前記他の通信装置との間に１つのセッションを確立して音声通信経路を設定し、前記複数の端末装置のうち、前記１つの端末装置とは異なる端末装置からの呼要求に応じて、前記１つのセッションにおいて、前記音声通信経路に加えて該音声通信経路とは異なる音声通信経路を追加設定すること、を特徴とする。
【発明の効果】
【００１０】
以上のように、本発明によれば、複数の通信（通話）を一つのＳＩＰセッションで行うことのできる技術を提供することができる。
【発明を実施するための最良の形態】
【００１１】
図１は、本発明の第一の実施形態である通信システム１００の概略図である。
【００１２】
図示するように、通信システム１００は、電話端末１１０Ａ〜１１０Ｄ（以下、個々の電話端末１１０Ａ〜１１０Ｄを特に区別しない場合には、電話端末１１０という）と、ゲートウェイ（以下、ＧＷ）１２０Ａ、１２０Ｂ（以下、個々のＧＷ１２０Ａ、１２０Ｂを特に区別しない場合には、ＧＷ１２０という）と、を備えており、ＧＷ１２０は、終端装置１５０Ａ、１５０Ｂを介してネットワーク１６０に接続することができるようにされている。
【００１３】
電話端末１１０は、音声通信を行う端末で、本実施形態においては、アナログ通信により音声通信を行うアナログ電話が使用される。なお、電話端末１１０については、汎用のものを使用すればよいため、詳細な説明は省略する。
【００１４】
図２は、ＧＷ１２０の概略図である。
【００１５】
図示するようにＧＷ１２０は、記憶部１２１と、制御部１３０と、アナログ電話ＩＦ部１４０と、ネットワークＩＦ部１４１と、を備える。
【００１６】
記憶部１２１は、切替情報記憶領域１２２と、接続先情報記憶領域１２３と、通話情報記憶領域１２４と、符号化情報記憶領域１２５と、を備える。
【００１７】
切替情報記憶領域１２２には、帯域（符号化方式）の切り替えを行う対象となる宛先を特定する情報が格納される。
【００１８】
例えば、本実施形態においては、図３（切替テーブル１２２ａの概略図）に示されているような切替テーブル１２２ａが、切替情報記憶領域１２２に記憶される。
【００１９】
図示するように、切替テーブル１２２ａは、切替接続先ＧＷＮｏ欄１２２ｂが設けられており、本欄には、帯域（符号化方式）の切り替えを行う対象となる宛先を特定する情報として、ＳＩＰメッセージの通信経路において、ＩＮＶＩＴＥメッセージの宛先とされた電話端末１１０側のＧＷ１２０を一意に識別するための識別情報が格納される。本実施形態においては、当該識別情報として、ＧＷ１２０毎に割り振られているＧＷＮｏが格納される。
【００２０】
接続先情報記憶領域１２３には、ＳＩＰセッションで行われる通話毎に、通信経路を特定する情報が記憶される。
【００２１】
例えば、本実施形態においては、図４（接続先テーブル１２３ａの概略図）に示すような接続先テーブル１２３ａが、接続先情報記憶領域１２３に記憶される。
【００２２】
図示するように、接続先テーブル１２３ａは、通話Ｎｏ欄１２３ｂと、接続元ＧＷＮｏ欄１２３ｃと、接続先ＧＷＮｏ欄１２３ｄと、符号化方式欄１２３ｅと、を備える。
【００２３】
通話Ｎｏ欄１２３ｂには、後述する接続元ＧＷＮｏ欄１２３ｃ及び接続先ＧＷＮｏ欄１２３ｄで特定されるＧＷ１２０間で張られたセッションにおいて行われている通話を特定する情報が格納される。本実施形態においては、当該通話を特定する情報として、通話が接続される毎に「１」から順に連番（自然数）で割り振られた通話Ｎｏが格納される。
【００２４】
接続元ＧＷＮｏ欄１２３ｃには、ＳＩＰセッションの通信経路において、ＩＮＶＩＴＥメッセージの送信元である電話端末１１０側のＧＷ１２０を一意に識別するための識別情報が格納される。本実施形態においては、当該識別情報として、ＧＷ１２０毎に割り振られているＧＷＮｏが格納される。
【００２５】
接続先ＧＷＮｏ欄１２３ｄには、ＳＩＰセッションの通信経路において、ＩＮＶＩＴＥメッセージの宛先とされた電話端末１１０側のＧＷ１２０を一意に識別するための識別情報が格納される。本実施形態においては、当該識別情報として、ＧＷ１０２毎に割り振られているＧＷＮｏが格納される。
【００２６】
符号化方式欄１２３ｅには、接続元ＧＷＮｏ欄１２３ｃ及び接続先ＧＷＮｏ欄１２３ｄで特定されるＧＷ１２０間で張られたセッションで行われる通話において使用する符号化方式を特定する情報が格納される。
【００２７】
通話情報記憶領域１２４には、確立されたＳＩＰセッションにおいて通話を行う電話端末１１０を特定する情報が記憶される。
【００２８】
本実施形態においては、図５（通話テーブル１２４ａの概略図）に示すような通話テーブル１２４ａが、通話情報記憶領域１２４に記憶される。
【００２９】
図示するように、通話テーブル１２４ａは、通話Ｎｏ欄１２４ｂと、ポート番号欄１２４ｃと、を備える。
【００３０】
通話Ｎｏ欄１２４ｂには、ＧＷ１２０間で張られているセッションにおいて行われる通話を特定する情報が記憶され、ここでは、図４に示す接続先テーブル１２３ａの通話Ｎｏ欄１２３ｂで特定される情報（通話Ｎｏ）に対応する情報が格納される。
【００３１】
ポート番号欄１２４ｃには、通話Ｎｏ欄１２４ｂで特定される通話において通信を行う電話端末１１０が接続されているポート番号を特定する情報が格納される。
【００３２】
なお、通話テーブル１２４ａの各レコードについては、通話が接続される毎にＳＩＰ処理部１３４が対応する通話Ｎｏと、ポート番号と、を格納し、通話が切断される毎にＳＩＰ処理部１３４が対応する通話Ｎｏと、ポート番号と、を削除する。
【００３３】
符号化情報記憶領域１２５には、切替接続先ＧＷＮｏ毎に予め設定された符号化方式が記憶されている。
【００３４】
本実施形態においては、図６（符号化情報テーブル１２５ａの概略図）に示すような符号化情報テーブル１２５ａが、符号化情報記憶領域に記憶される。
【００３５】
図示するように、符号化情報テーブル１２５ａは、切替接続先ＧＷＮｏ欄１２５ｂと、これに対応づけて符号化方式欄１２５ｃと、を備える。
【００３６】
切替接続先ＧＷＮｏ欄１２５ｂには、ＳＩＰセッションの通信経路において、通信（通話）を行う相手先である電話端末１１０側のＧＷ１２０を一意に識別するための識別情報（ＧＷ１２０のＩＰアドレス、ＭＡＣアドレス、電話番号等）が格納される。本実施形態においては、当該識別情報として、ＧＷ１２０毎に割り振られているＧＷＮｏが格納される。
【００３７】
符号化方式欄１２５ｃには、切替接続先ＧＷＮｏ欄１２５ｂで特定されるＧＷ１２０との間で張られたセッションで行われる通信（通話）において使用する符号化方式を特定する情報が格納される。
【００３８】
制御部１３０は、全体制御部１３１と、符号方式切替部１３２と、符号処理部１３３と、ＳＩＰ処理部１３４と、を備える。
【００３９】
全体制御部１３１は、ＧＷ１２０における全体の処理を制御する。
【００４０】
特に、本実施形態においては、後述するアナログ電話ＩＦ部１４０を介して送受信するアナログ電話信号と、ネットワークＩＦ部１４１を介して送受信するＩＰパケットと、の間のプロトコルの変換を行う。
【００４１】
また、全体制御部１３１は、後述するネットワークＩＦ部１４１を制御して、後述する符号方式切替部１３２で切り替えた符号化方式に対応する帯域でパケットを送信する処理を行う。
【００４２】
符号方式切替部１３２は、後述するＳＩＰ処理部１３４の指示に応じて、後述する符号処理部１３３でデータを符号化及び復号化する符号化方式を切り替える処理を行う。
【００４３】
符号処理部１３３は、符号方式切替部１３２で切り替えられた符号化方式を用いて、ネットワークＩＦ部１４１を介して送受信するデータの符号化及び復号化を行う。
【００４４】
ＳＩＰ処理部１３４は、ＳＩＰを用いたメッセージを送受信する等の処理を制御する。
【００４５】
また、ＳＩＰ処理部１３４は、後述するアナログ電話ＩＦ部１４０を介して送受信するアナログ電話信号と、ネットワークＩＦ部１４１を介して送受信するＩＰパケットと、から取得される情報が、切替テーブル１２２ａ、接続先テーブル１２３ａ又は通話テーブル１２４ａに格納されているか否かを確認する処理を行い、さらに、接続先テーブル１２３ａ又は通話テーブル１２４ａに必要な情報を格納し、削除する処理を行う。
【００４６】
ここで、本実施形態で使用するＳＩＰメッセージの一例を図７〜図１２を用いて説明する。
【００４７】
図７は、本実施形態で使用するＩＮＶＩＴＥメッセージ１７０の構造を示す概略図である。
【００４８】
図示するように、本実施形態で使用するＩＮＶＩＴＥメッセージ１７０は、スタートライン１７０ａと、ヘッダ部１７０ｂと、メッセージボディ１７０ｃと、を備える。
【００４９】
スタートライン１７０ａ及びヘッダ部１７０ｂに格納する情報については、ＳＩＰに定めるフォーマットに従えばよいため、詳細な説明は省略する。
【００５０】
メッセージボディ１７０ｃは、メッセージ種別格納領域１７０ｄと、接続元ＧＷＮｏ格納領域１７０ｅと、接続先ＧＷＮｏ格納領域１７０ｆと、接続先ＴＥＬＮｏ格納領域１７０ｇと、符号化方式種別格納領域１７０ｈと、を有する。
【００５１】
メッセージ種別格納領域１７０ｄには、ＳＩＰメッセージのメソッドを特定する情報が格納される。ここでは、ＩＮＶＩＴＥであることを特定する情報が格納される。
【００５２】
接続元ＧＷＮｏ格納領域１７０ｅには、発呼元である電話端末１１０側のＧＷ１２０を識別するための識別情報が格納される。本実施形態においては、当該識別情報として、ＧＷ１２０毎に割り振られているＧＷＮｏが格納される。
【００５３】
接続先ＧＷＮｏ格納領域１７０ｆには、着呼先である電話端末１１０側のＧＷ１２０を識別するための識別情報が格納される。本実施形態においては、当該識別情報として、ＧＷ１２０毎に割り振られているＧＷＮｏが格納される。
【００５４】
接続先ＴＥＬＮｏ格納領域１７０ｇには、着呼先である電話端末１１０の電話番号を特定する情報が格納される。
【００５５】
符号化方式種別格納領域１７０ｈには、接続元ＧＷＮｏ格納領域１７０ｅで特定されるＧＷ１２０と、接続先ＧＷＮｏ格納領域１７０ｆで特定されるＧＷ１２０と、の間のセッションにおいて通話を行う際に使用する符号化方式を特定する情報が格納される。
【００５６】
図８は、本実施形態で使用する２００ＯＫメッセージ１７１の構造を示す概略図である。
【００５７】
図示するように、本実施形態で使用する２００ＯＫメッセージ１７１は、スタートライン１７１ａと、ヘッダ部１７１ｂと、メッセージボディ１７１ｃと、を備える。
【００５８】
スタートライン１７１ａ及びヘッダ部１７１ｂに格納する情報については、ＳＩＰに定めるフォーマットに従えばよいため、詳細な説明は省略する。
【００５９】
メッセージボディ１７１ｃは、メッセージ種別格納領域１７１ｄと、接続元ＧＷＮｏ格納領域１７１ｅと、接続先ＧＷＮｏ格納領域１７１ｆと、応答種別格納領域１７１ｇと、を有する。
【００６０】
メッセージ種別格納領域１７１ｄには、ＳＩＰメッセージのステータスコードを特定する情報が格納される。ここでは、２００ＯＫであることを特定する情報が格納される。
【００６１】
接続元ＧＷＮｏ格納領域１７１ｅには、発呼元である電話端末１１０側のＧＷ１２０を識別するための識別情報が格納される。本実施形態においては、当該識別情報として、ＧＷ１２０毎に割り振られているＧＷＮｏが格納される。
【００６２】
接続先ＧＷＮｏ格納領域１７１ｆには、着呼先である電話端末１１０側のＧＷ１２０を識別するための識別情報が格納される。本実施形態においては、当該識別情報として、ＧＷ１２０毎に割り振られているＧＷＮｏが格納される。
【００６３】
応答種別格納領域１７１ｇには、２００ＯＫの応答を行う対象となっているリクエストメッセージの種別を特定する情報が格納される。本実施形態においては、当該種別として、「ＩＮＶＩＴＥ」、「ＭＥＳＳＡＧＥ」及び「ＢＹＥ」のうち何れかを特定する情報が格納される。
【００６４】
図９は、本実施形態で使用するＡＣＫメッセージ１７２の構造を示す概略図である。
【００６５】
図示するように、本実施形態で使用するＡＣＫメッセージ１７２は、スタートライン１７２ａと、ヘッダ部１７２ｂと、メッセージボディ１７２ｃと、を備える。
【００６６】
スタートライン１７２ａ及びヘッダ部１７２ｂに格納する情報については、ＳＩＰに定めるフォーマットに従えばよいため、詳細な説明は省略する。
【００６７】
メッセージボディ１７２ｃは、メッセージ種別格納領域１７２ｄと、接続元ＧＷＮｏ格納領域１７２ｅと、接続先ＧＷＮｏ格納領域１７２ｆと、を有する。
【００６８】
メッセージ種別格納領域１７２ｄには、ＳＩＰメッセージのメソッドを特定する情報が格納される。ここでは、ＡＣＫであることを特定する情報が格納される。
【００６９】
接続元ＧＷＮｏ格納領域１７２ｅには、発呼元である電話端末１１０側のＧＷ１２０を識別するための識別情報が格納される。本実施形態においては、当該識別情報として、ＧＷ１２０毎に割り振られているＧＷＮｏが格納される。
【００７０】
接続先ＧＷＮｏ格納領域１７２ｆには、着呼先である電話端末１１０側のＧＷ１２０を識別するための識別情報が格納される。本実施形態においては、当該識別情報として、ＧＷ１２０毎に割り振られているＧＷＮｏが格納される。
【００７１】
図１０は、本実施形態で使用するＢＹＥメッセージ１７３の構造を示す概略図である。
【００７２】
図示するように、本実施形態で使用するＢＹＥメッセージ１７３は、スタートライン１７３ａと、ヘッダ部１７３ｂと、メッセージボディ１７３ｃと、を備える。
【００７３】
スタートライン１７３ａ及びヘッダ部１７２ｂに格納する情報については、ＳＩＰに定めるフォーマットに従えばよいため、詳細な説明は省略する。
【００７４】
メッセージボディ１７３ｃは、メッセージ種別格納領域１７３ｄと、接続元ＧＷＮｏ格納領域１７３ｅと、接続先ＧＷＮｏ格納領域１７３ｆと、を有する。
【００７５】
メッセージ種別格納領域１７３ｄには、ＳＩＰメッセージのメソッドを特定する情報が格納される。ここでは、ＢＹＥであることを特定する情報が格納される。
【００７６】
接続元ＧＷＮｏ格納領域１７３ｅには、発呼元である電話端末１１０側のＧＷ１２０を識別するための識別情報が格納される。本実施形態においては、当該識別情報として、ＧＷ１２０毎に割り振られているＧＷＮｏが格納される。
【００７７】
接続先ＧＷＮｏ格納領域１７３ｆには、着呼先である電話端末１１０側のＧＷ１２０を識別するための識別情報が格納される。本実施形態においては、当該識別情報として、ＧＷ１２０毎に割り振られているＧＷＮｏが格納される。
【００７８】
図１１は、本実施形態で使用するＩＮＶＩＴＥ用のＭＥＳＳＡＧＥメッセージ１７４の構造を示す概略図である。
【００７９】
図示するように、本実施形態で使用するＭＥＳＳＡＧＥメッセージ１７４は、スタートライン１７４ａと、ヘッダ部１７４ｂと、メッセージボディ１７４ｃと、を備える。
【００８０】
スタートライン１７４ａ及びヘッダ部１７４ｂに格納する情報については、ＳＩＰに定めるフォーマットに従えばよいため、詳細な説明は省略する。
【００８１】
メッセージボディ１７４ｃは、メッセージ種別格納領域１７４ｄと、元メッセージ種別格納領域１７４ｅと、接続元ＧＷＮｏ格納領域１７４ｆと、接続先ＧＷＮｏ格納領域１７４ｇと、接続先ＴＥＬＮｏ格納領域１７４ｈと、接続通話Ｎｏ格納領域１７４ｉと、を有する。
【００８２】
メッセージ種別格納領域１７４ｄには、ＳＩＰメッセージのメソッドを特定する情報が格納される。ここでは、ＭＥＳＳＡＧＥであることを特定する情報が格納される。
【００８３】
元メッセージ種別格納領域１７４ｅには、ＭＥＳＳＡＧＥとして送信するＳＩＰメッセージのメソッドを特定する情報が格納される。ここでは、ＩＮＶＩＴＥであることを特定する情報が格納される。
【００８４】
接続元ＧＷＮｏ格納領域１７４ｆには、発呼元である電話端末１１０側のＧＷ１２０を識別するための識別情報が格納される。本実施形態においては、当該識別情報として、ＧＷ１２０毎に割り振られているＧＷＮｏが格納される。
【００８５】
接続先ＧＷＮｏ格納領域１７４ｇには、着呼先である電話端末１１０側のＧＷ１２０を識別するための識別情報が格納される。本実施形態においては、当該識別情報として、ＧＷ１２０毎に割り振られているＧＷＮｏが格納される。
【００８６】
接続先ＴＥＬＮｏ格納領域１７４ｈには、着呼先である電話端末１１０の電話番号を特定する情報が格納される。
【００８７】
接続通話Ｎｏ格納領域１７４ｉには、接続元ＧＷＮｏ格納領域１７４ｆで特定されるＧＷ１２０と、接続先ＧＷＮｏ格納領域１７４ｇで特定されるＧＷ１２０と、の間のセッションにおいて行われている通話を特定する情報が格納される。
【００８８】
図１２は、本実施形態で使用するＢＹＥ用のＭＥＳＳＡＧＥメッセージ１７５の構造を示す概略図である。
【００８９】
図示するように、本実施形態で使用するＭＥＳＳＡＧＥメッセージ１７５は、スタートライン１７５ａと、ヘッダ部１７５ｂと、メッセージボディ１７５ｃと、を備える。
【００９０】
スタートライン１７５ａ及びヘッダ部１７５ｂに格納する情報については、ＳＩＰに定めるフォーマットに従えばよいため、詳細な説明は省略する。
【００９１】
メッセージボディ１７５ｃは、メッセージ種別格納領域１７５ｄと、元メッセージ種別格納領域１７５ｅと、接続元ＧＷＮｏ格納領域１７５ｆと、接続先ＧＷＮｏ格納領域１７５ｇと、切断通話Ｎｏ格納領域１７５ｈと、を有する。
【００９２】
メッセージ種別格納領域１７５ｄには、ＳＩＰメッセージのメソッドを特定する情報が格納される。ここでは、ＭＥＳＳＡＧＥであることを特定する情報が格納される。
【００９３】
元メッセージ種別格納領域１７５ｅには、ＭＥＳＳＡＧＥとして送信するＳＩＰメッセージのメソッドを特定する情報が格納される。ここでは、ＢＹＥであることを特定する情報が格納される。
【００９４】
接続元ＧＷＮｏ格納領域１７５ｆには、発呼元である電話端末１１０側のＧＷ１２０を識別するための識別情報が格納される。本実施形態においては、当該識別情報として、ＧＷ１２０毎に割り振られているＧＷＮｏが格納される。
【００９５】
接続先ＧＷＮｏ格納領域１７５ｇには、着呼先である電話端末１１０側のＧＷ１２０を識別するための識別情報が格納される。本実施形態においては、当該識別情報として、ＧＷ１２０毎に割り振られているＧＷＮｏが格納される。
【００９６】
切断通話Ｎｏ格納領域１７５ｈには、接続元ＧＷＮｏ格納領域１７５ｆで特定されるＧＷ１２０と、接続先ＧＷＮｏ格納領域１７５ｇで特定されるＧＷ１２０と、の間のセッションで行われている通話の内、切断する通話を特定する情報が格納される。
【００９７】
なお、本実施形態においては、図７〜図１２に示すＳＩＰメッセージ以外にも、ＳＩＰに定められた通常のＳＩＰメッセージも使用して通信を行うものとする。
【００９８】
図２に戻り、アナログ電話ＩＦ部１４０は、アナログ電話信号を送受信するためのインターフェースである。
【００９９】
ネットワークＩＦ部１４１は、ネットワークを介して情報を送受信するためのインターフェースである。
【０１００】
図１に戻り、終端装置１５０Ａ、１５０Ｂは、アクセス回線の終端装置であって、例えば、光ファイバを介してネットワーク１６０に接続するための光終端装置である。これは、汎用の光回線終端装置を用いればよいため、説明を省略する。
【０１０１】
本実施形態におけるネットワーク１６０には、ＳＩＰに従った呼制御を行う呼制御サーバが接続されているものとする。この呼制御サーバについては、汎用のものを用いればよいため、説明を省略する。
【０１０２】
図１３は、以上のように構成される通信システム１００における接続処理を示すシーケンス図である。本シーケンスでは、ＧＷ１２０間に新たなセッションを確立する場合の処理を示す。
【０１０３】
なお、図１３に示す呼制御サーバは、ネットワーク１６０に接続されているものとする。
【０１０４】
また、ネットワーク１６０を介して確立されるセッションにおいては、通常は、符号化方式としてＧ．７１１が採用され、６４ｋの帯域で通信が行われるようにされているものとする。
【０１０５】
まず、電話端末１１０Ａは、電話端末１１０Ｃとの間で通話を行うために、発呼信号を送信する（Ｓ６００）。ここでの発呼信号は、宛先である電話端末１１０Ｃの電話番号である＊３００と、電話端末１１０Ｃ側のＧＷ１２０Ｂの識別番号（ＧＷＮｏ）である６０００と、を特定したものであるとする。
【０１０６】
このような発呼信号を受信したＧＷ１２０Ａでは、全体制御部１３１が、発呼信号から電話端末１１０Ｃ側のＧＷ１２０ＢのＧＷＮｏ（６０００）を抽出して、ＳＩＰ処理部１３４に出力し、ＳＩＰ処理部１３４が、切替テーブル１２２ａに、電話端末１１０Ｃ側のＧＷ１２０ＢのＧＷＮｏ（６０００）が格納されているか否かを確認する（Ｓ６０１）。ここでは、ＧＷ１２０ＢのＧＷＮｏが切替テーブル１２２ａに格納されているものとする。
【０１０７】
なお、ＧＷ１２０ＢのＧＷＮｏが切替テーブル１２２ａに格納されていない場合には、通常のＳＩＰに従ったＩＮＶＩＴＥメッセージを生成し、送信する。
【０１０８】
次に、ＧＷ１２０ＡのＳＩＰ処理部１３４は、接続先テーブル１２３ａを検索し、電話端末１１０Ｃ側のＧＷ１２０ＢのＧＷＮｏ（６０００）が接続先テーブル１２３ａの接続先ＧＷＮｏ欄１２３ｄに格納されているか否かを確認する（Ｓ６０２）。ここでは、ＧＷ１２０ＢのＧＷＮｏは、接続先ＧＷＮｏ欄１２３ｄに格納されていないものとする。
【０１０９】
次に、ＧＷ１２０ＡのＳＩＰ処理部１３４は、図７に示すようなＩＮＶＩＴＥメッセージ１７０のメッセージボディ１７０ｃにおいて、接続元ＧＷＮｏ格納領域１７０ｅにＧＷ１２０ＡのＧＷＮｏ（ここでは、５０００とする）を格納し、接続先ＧＷＮｏ格納領域１７０ｆに発呼信号から抽出されたＧＷ１２０ＢのＧＷＮｏ（６０００）を格納し、接続先ＴＥＬＮｏ格納領域１７０ｇに電話端末１１０Ｃの電話番号（＊３００）を格納し、符号化方式種別格納領域１７０ｈに符号化方式であるＧ．７１１（６４ｋ）を特定する情報を格納したものを生成して、ネットワークＩＦ部１４１を介して、呼制御サーバに送信する（Ｓ６０３）。
【０１１０】
そして、ネットワーク１６０に設置されている呼制御サーバは、受信したＩＮＶＩＴＥメッセージを、呼制御サーバに登録されているレジスタ情報に基づいて、電話端末１１０Ｃ（ＧＷ１２０Ｂ）に転送する（Ｓ６０４）。
【０１１１】
次に、ＧＷ１２０Ｂの全体制御部１３１は、ネットワークＩＦ部１４１を介して受信したＩＮＶＩＴＥメッセージをＳＩＰ処理部１３４に出力し、ＳＩＰ処理部１３４は、メッセージボディ１７０ｃに格納されている情報を抽出して、抽出した情報及び符号化情報記憶領域１２５に格納されている符合化方式を接続先テーブル１２３ａに登録する（Ｓ６０５）。
【０１１２】
具体的には、接続先テーブル１２３ａの接続元ＧＷＮｏ欄１２３ｃには、図７に示すようなＩＮＶＩＴＥメッセージ１７０の接続元ＧＷＮｏ格納領域１７０ｅに格納されている情報を格納し、接続先テーブル１２３ａの接続先ＧＷＮｏ欄１２３ｄには、ＩＮＶＩＴＥメッセージ１７０の接続先ＧＷＮｏ格納領域１７０ｆに格納されている情報を格納し、接続先テーブル１２３ａの符号化方式欄１２３ｅには、符号化情報テーブル１２５ａの符号化方式欄１２５ｃに格納されている情報を格納する。
【０１１３】
なお、接続先テーブル１２３ａの通話Ｎｏ欄１２３ｂには、接続元ＧＷＮｏ欄１２３ｃ及び接続先ＧＷＮｏ欄１２３ｄで特定されるＧＷ１２０間で張られたセッションにおいて行われる通話毎に「１」から順に連番で割り振られた通話Ｎｏが格納される。
【０１１４】
そして、ＧＷ１２０Ｂの全体制御部１３１は、ＩＮＶＩＴＥメッセージで宛先として特定された電話端末１１０Ｃに着呼信号を送信する（Ｓ６０６）。
【０１１５】
このような着呼信号を受信した電話端末１１０Ｃにおいて、着呼に応ずる手続がなされた場合には、電話端末１１０Ｃは、応答信号を出力する（Ｓ６０７）。
【０１１６】
このような応答信号を受信したＧＷ１２０Ｂでは、ＳＩＰ処理部１３４が、２００ＯＫメッセージを生成して、ネットワークＩＦ部１４１を介して、ネットワーク１６０に設置されている呼制御サーバに送信する（Ｓ６０８）。この際、ＳＩＰ処理部１３４は、通話テーブル１２４ａに必要な情報を格納する。
【０１１７】
ステップＳ６０８で生成する２００ＯＫメッセージについては、図８に示すような２００ＯＫメッセージ１７１のメッセージボディ１７１ｃにおいて、接続元ＧＷＮｏ格納領域１７１ｅには、接続先テーブル１２３ａの対応するセッションにおける接続元ＧＷＮｏ欄１２３ｃに格納されている情報を格納し、接続先ＧＷＮｏ格納領域１７１ｆには、接続先テーブル１２３ａの対応するセッションにおける接続先ＧＷＮｏ欄１２３ｄに格納されている情報を格納し、応答種別格納領域１７１ｇには、ＩＮＶＩＴＥを特定する情報を格納することで生成される。
【０１１８】
そして、このような２００ＯＫメッセージを受信した呼制御サーバは、ＧＷ１２０Ａに転送する（Ｓ６０９）。
【０１１９】
このような２００ＯＫメッセージを受信したＧＷ１２０Ａでは、ＳＩＰ処理部１３４が、ＡＣＫメッセージを生成して、ネットワークＩＦ部１４１を介して、ネットワーク１６０に設置されている呼制御サーバに送信する（Ｓ６１０）。
【０１２０】
ステップＳ６１０で生成するＡＣＫメッセージについては、図９に示すようなＡＣＫメッセージ１７２のメッセージボディ１７２ｃにおいて、接続元ＧＷＮｏ格納領域１７２ｅ及び接続先ＧＷＮｏ格納領域１７２ｆには、受信した２００ＯＫメッセージの接続元ＧＷＮｏ格納領域１７１ｅ及び接続先ＧＷＮｏ格納領域１７１ｆに格納されている情報をそれぞれ格納することで生成される。
【０１２１】
そして、このようなＡＣＫメッセージを受信した呼制御サーバは、ＧＷ１２０Ｂに転送する（Ｓ６１１）。
【０１２２】
また、ＡＣＫメッセージを送信したＧＷ１２０Ａの全体制御部１３１は、ネットワークＩＦ部１４１を介して受信した２００ＯＫメッセージをＳＩＰ処理部１３４に出力し、ＳＩＰ処理部１３４が、メッセージボディ１７１ｃに格納されている情報を抽出して、抽出した情報を接続先テーブル１２３ａに登録する（Ｓ６１２）。
【０１２３】
具体的には、接続先テーブル１２３ａの接続元ＧＷＮｏ欄１２３ｃには、図８に示すような２００ＯＫメッセージ１７１の接続元ＧＷＮｏ格納領域１７１ｅに格納されている情報を格納し、接続先テーブル１２３ａの接続先ＧＷＮｏ欄１２３ｄには、２００ＯＫメッセージ１７１の接続先ＧＷＮｏ格納領域１７１ｆに格納されている情報を格納し、接続先テーブル１２３ａの符号化方式欄１２３ｅには、符号化情報テーブル１２５ａの符号化方式欄１２５ｃに格納されている符号化方式であるＧ．７２６（３２ｋ）を特定する情報を格納する。
【０１２４】
なお、接続先テーブル１２３ａの通話Ｎｏ欄１２３ｂには、接続元ＧＷＮｏ欄１２３ｃ及び接続先ＧＷＮｏ欄１２３ｄで特定されるＧＷ１２０間で張られたセッションで行われる通話毎に「１」から順に連番で割り振られた通話Ｎｏが格納される。
【０１２５】
また、この際、ＳＩＰ処理部１３４は、通話テーブル１２４ａに必要な情報を格納する。
【０１２６】
次に、ＧＷ１２０ＡのＳＩＰ処理部１３４は、符号方式切替部１３２に指示を出し、符号方式切替部１３２は、接続先テーブル１２３ａに格納された符号化方式（ここでは、Ｇ．７２６）を、符号処理部１３３に設定する（Ｓ６１３）。そして、全体制御部１３１は、ネットワークＩＦ部１４１を制御して、符号方式切替部１３２で特定した符号化方式に対応したパケットを送信するようにする。
【０１２７】
また、呼制御サーバからＡＣＫメッセージを受信したＧＷ１２０Ｂでは、ＳＩＰ処理部１３４が、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７２６）を符号方式切替部１３２に出力し、符号方式切替部１３２は、符号処理部１３３に当該符号化方式（Ｇ．７２６）を設定する（Ｓ６１４）。そして、全体制御部１３１は、ネットワークＩＦ部１４１を制御して、符号方式切替部１３２で特定した符号化方式に対応したパケットを送信するようにする。
【０１２８】
このような処理を行うことにより、ＧＷ１２０Ａ及びＧＷ１２０Ｂ間にＳＩＰセッションが確立する（Ｓ６１５）。ここで確立するセッションの帯域は、６４ｋの帯域となる。
【０１２９】
そして、電話端末１１０Ａ及び電話端末１１０Ｃ間で通話が可能となり、これらの間の通話では、ＧＷ１２０Ａ及びＧＷ１２０Ｂ間においてＧ．７２６の符号化方式が利用され、３２ｋの帯域が使用される（Ｓ６１６）。
【０１３０】
図１４は、通信システム１００における接続処理を示すシーケンス図である。本シーケンスでは、ＧＷ１２０間に既にセッションが確立されている場合の処理を示す。
【０１３１】
まず、図１３で示す接続処理により、ＧＷ１２０Ａ及びＧＷ１２０Ｂ間にＳＩＰセッションが確立し（Ｓ６２０）、電話端末１１０Ａ及び電話端末１１０Ｃ間で通話が行われているものとする（Ｓ６２１）。
【０１３２】
このような状態で、電話端末１１０Ｂと電話端末１１０Ｄとの間で通話を行う場合には、電話端末１１０Ｂから電話端末１１０Ｄに発呼信号が送信される（Ｓ６２２）。ここでの発呼信号は、宛先である電話端末１１０Ｄの電話番号である＊４００と、電話端末１１０Ｄ側のＧＷ１２０ＢのＧＷＮｏである６０００と、を特定したものであるとする。
【０１３３】
このような発呼信号を受信したＧＷ１２０Ａでは、全体制御部１３１が、発呼信号から電話端末１１０Ｄ側のＧＷ１２０ＢのＧＷＮｏ（６０００）を抽出して、ＳＩＰ処理部１３４に出力し、ＳＩＰ処理部１３４が、切替テーブル１２２ａに、電話端末１１０Ｄ側のＧＷ１２０ＢのＧＷＮｏ（６０００）が格納されているか否かを確認する（Ｓ６２３）。ここでは、ＧＷ１２０ＢのＧＷＮｏが切替テーブル１２２ａに格納されているものとする。
【０１３４】
次に、ＧＷ１２０ＡのＳＩＰ処理部１３４は、接続先テーブル１２３ａを検索し、電話端末１１０Ｄ側のＧＷ１２０ＢのＧＷＮｏ（６０００）が接続先テーブル１２３ａの接続先ＧＷＮｏ欄１２３ｄに格納されているか否かを確認する（Ｓ６２４）。ここでは、ＧＷ１２０ＢのＧＷＮｏは、接続先ＧＷＮｏ欄１２３ｄに格納されているものとする。
【０１３５】
そして、ＧＷ１２０ＡのＳＩＰ処理部１３４は、図１１に示すようなＩＮＶＩＴＥ用のＭＥＳＳＡＧＥメッセージ１７４のメッセージボディ１７４ｃにおいて、元メッセージ種別格納領域１７４ｅにＩＮＶＩＴＥであることを特定する情報を格納し、接続元ＧＷＮｏ格納領域１７４ｆにＧＷ１２０ＡのＧＷＮｏ（ここでは、５０００とする）を格納し、接続先ＧＷＮｏ格納領域１７４ｇに発呼信号から抽出されたＧＷ１２０ＢのＧＷＮｏ（６０００）を格納し、接続先ＴＥＬＮｏ格納領域１７４ｈに電話端末１１０Ｄの電話番号（＊４００）を格納し、接続通話Ｎｏ格納領域１７４ｉに対応する接続先テーブル１２３ａの通話Ｎｏの内最も値の大きなものを格納したものを生成して、ネットワークＩＦ部１４１を介して、呼制御サーバに送信する（Ｓ６２５）。
【０１３６】
そして、ネットワーク１６０に設置されている呼制御サーバは、受信したＭＥＳＳＡＧＥメッセージを、呼制御サーバに登録されているレジスタ情報に基づいて、電話端末１１０Ｄ（ＧＷ１２０Ｂ）に転送する（Ｓ６２６）。
【０１３７】
次に、ＧＷ１２０Ｂの全体制御部１３１は、ネットワークＩＦ部１４１を介して受信したＭＥＳＳＡＧＥメッセージをＳＩＰ処理部１３４に出力し、ＳＩＰ処理部１３４が、メッセージボディ１７４ｃに格納されている情報を抽出して、抽出した情報及び符号化情報記憶領域１２５に格納されている符合化方式を接続先テーブル１２３ａに登録する（Ｓ６２７）。
【０１３８】
なお、接続先テーブル１２３ａの通話Ｎｏ欄１２３ｂには、ＭＥＳＳＡＧＥメッセージの接続通話Ｎｏ格納領域１７４ｉに格納されている通話Ｎｏに「１」をインクリメントした値が格納される。
【０１３９】
そして、ＧＷ１２０Ｂの全体制御部１３１は、ＭＥＳＳＡＧＥメッセージで宛先として特定された電話端末１１０Ｄに着呼信号を送信する（Ｓ６２８）。
【０１４０】
このような着呼信号を受信した電話端末１１０Ｄにおいて、着呼に応ずる手続がなされた場合には、電話端末１１０Ｄは、応答信号を出力する（Ｓ６２９）。
【０１４１】
このような応答信号を受信したＧＷ１２０Ｂでは、ＳＩＰ処理部１３４が、２００ＯＫメッセージを生成して、ネットワークＩＦ部１４１を介して、ネットワーク１６０に設置されている呼制御サーバに送信する（Ｓ６３０）。この際、ＳＩＰ処理部１３４は、通話テーブル１２４ａに必要な情報を格納する。
【０１４２】
ステップＳ６３０で生成する２００ＯＫメッセージについては、図８に示すような２００ＯＫメッセージ１７１のメッセージボディ１７１ｃにおいて、接続元ＧＷＮｏ格納領域１７１ｅには、接続先テーブル１２３ａの対応するセッションにおける接続元ＧＷＮｏ欄１２３ｃに格納されている情報を格納し、接続先ＧＷＮｏ格納領域１７１ｆには、接続先テーブル１２３ａの対応するセッションにおける接続先ＧＷＮｏ欄１２３ｄに格納されている情報を格納し、応答種別格納領域１７１ｇには、ＭＥＳＳＡＧＥを特定する情報を格納することで生成される。
【０１４３】
そして、このような２００ＯＫメッセージを受信した呼制御サーバは、ＧＷ１２０Ａに転送する（Ｓ６３１）。
【０１４４】
このような２００ＯＫメッセージを受信したＧＷ１２０Ａでは、ＳＩＰ処理部１３４が、ＡＣＫメッセージを生成して、ネットワークＩＦ部１４１を介して、ネットワーク１６０に設置されている呼制御サーバに送信する（Ｓ６３２）。
【０１４５】
ステップＳ６３２で生成するＡＣＫメッセージについては、図９に示すようなＡＣＫメッセージ１７２のメッセージボディ１７２ｃにおいて、接続元ＧＷＮｏ格納領域１７２ｅ及び接続先ＧＷＮｏ格納領域１７２ｆには、受信した２００ＯＫメッセージの接続元ＧＷＮｏ格納領域１７１ｅ及び接続先ＧＷＮｏ格納領域１７１ｆに格納されている情報をそれぞれ格納することで生成される。
【０１４６】
そして、このようなＡＣＫメッセージを受信した呼制御サーバは、ＧＷ１２０Ｂに転送する（Ｓ６３３）。
【０１４７】
また、ＡＣＫメッセージを送信したＧＷ１２０Ａの全体制御部１３１は、ネットワークＩＦ部１４１を介して受信した２００ＯＫメッセージをＳＩＰ処理部１３４に出力し、ＳＩＰ処理部１３４が、メッセージボディ１７１ｃに格納されている情報を抽出して、抽出した情報及び符号化情報記憶領域１２５に格納されている符合化方式を接続先テーブル１２３ａに登録する（Ｓ６３４）。
【０１４８】
具体的には、接続先テーブル１２３ａの接続元ＧＷＮｏ欄１２３ｃには、図８に示すような２００ＯＫメッセージ１７１の接続元ＧＷＮｏ格納領域１７１ｅに格納されている情報を格納し、接続先テーブル１２３ａの接続先ＧＷＮｏ欄１２３ｄには、２００ＯＫメッセージ１７１の接続先ＧＷＮｏ格納領域１７１ｆに格納されている情報を格納し、接続先テーブル１２３ａの符号化方式欄１２３ｅには、符号化情報テーブル１２５ａの符号化方式欄１２５ｃに格納されている符号化方式であるＧ．７２６（３２ｋ）を特定する情報を格納する。
【０１４９】
なお、接続先テーブル１２３ａの通話Ｎｏ欄１２３ｂには、接続元ＧＷＮｏ欄１２３ｃ及び接続先ＧＷＮｏ欄１２３ｄで特定されるＧＷ１２０間で張られたセッションで行われる通話毎に「１」から順に連番で割り振られた通話Ｎｏが格納される。
【０１５０】
また、この際、ＳＩＰ処理部１３４は、通話テーブル１２４ａに必要な情報を格納する。
【０１５１】
次に、ＧＷ１２０ＡのＳＩＰ処理部１３４は、符号方式理切替部１３２に指示を出し、符号方式理切替部１３２は、接続先テーブル１２３ａに格納された符号化方式（ここでは、Ｇ．７２６）を符号処理部１３３に設定する（Ｓ６３５）。そして、全体制御部１３１は、ネットワークＩＦ部１４１を制御して、符号方式切替部１３２で特定した符号化方式に対応したパケットを送信するようにする。
【０１５２】
また、呼制御サーバからＡＣＫメッセージを受信したＧＷ１２０Ｂでは、ＳＩＰ処理部１３４が、符号方式切替部１３２に指示を出し、符号方式切替部１３２は、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７２６）を符号処理部１３３に設定する（Ｓ６３６）。そして、全体制御部１３１は、ネットワークＩＦ部１４１を制御して、符号方式切替部１３２で特定した符号化方式に対応したパケットを送信するようにする。
【０１５３】
このような処理を行うことにより、ＧＷ１２０Ａ及びＧＷ１２０Ｂ間に既に確立しているＳＩＰセッションにおいて、電話端末１１０Ｂ及び電話端末１１０Ｄ間での通話が可能となり、これらの間の通話では、ＧＷ１２０Ａ及びＧＷ１２０Ｂ間においてＧ．７２６の符号化方式が利用され、３２ｋの帯域が使用される（Ｓ６３７）。
【０１５４】
以上のような処理を行うことにより、ＧＷ１２０間で確立された一つのＳＩＰセッションにおいて、複数の通話を行うことができるようになる。
【０１５５】
なお、以上の例では、帯域６４ｋのセッションにおいて、帯域３２ｋの通話を２回線入れるようにしているが、このような態様に限定されず、例えば、帯域６４ｋのセッションにおいて、帯域１６ｋの通話を１〜４回線入れるようにすることも可能である。即ち、一つのセッションに入れる回線の数に応じて、回線帯域（符号化方式）を適宜変更すればよい。
【０１５６】
図１５は、通信システム１００における切断処理を示すシーケンス図である。本シーケンスでは、ＧＷ１２０間に確立されているセッションに二つの通話が収容されており、これらのうちの何れか一つの通話を切断する場合の処理を示す。
【０１５７】
まず、図１４で示す接続処理により、ＧＷ１２０Ａ及びＧＷ１２０Ｂ間にＳＩＰセッションが確立し（Ｓ６４０）、電話端末１１０Ａ及び電話端末１１０Ｃ間での通話（Ｓ６４１）と、電話端末１１０Ｂ及び電話端末１１０Ｄ間での通話（Ｓ６４２）と、が行われているものとする。
【０１５８】
このような状態で、電話端末１１０Ａが電話端末１１０Ｃとの間の通話を切断する場合には、電話端末１１０Ａから切断信号が送信される（Ｓ６４３）。
【０１５９】
このような切断信号を受信したＧＷ１２０Ａでは、ＳＩＰ処理部１３４が、通話テーブル１２４ａ及び接続先テーブル１２３ａから切断する通話を特定して（Ｓ６４４）、ＢＹＥ用のＭＥＳＳＡＧＥメッセージを生成して、ネットワーク１６０の呼制御サーバに送信する（Ｓ６４５）。
【０１６０】
ここで、ＳＩＰ処理部１３４は、接続先テーブル１２３ａから切断する通話の接続元ＧＷＮｏ欄１２３ｃ、接続先ＧＷＮｏ欄１２３ｄ及び通話Ｎｏ欄１２３ｂに格納されている情報を抽出し、図１２に示すようなＢＹＥ用のＭＥＳＳＡＧＥメッセージ１７５のメッセージボディ１７５ｃにおける接続元ＧＷＮｏ格納領域１７５ｆ、接続先ＧＷＮｏ格納領域１７５ｇ及び切断通話Ｎｏ格納領域１７５ｈに、抽出した情報をそれぞれ格納することで、ＢＹＥ用のＭＥＳＳＡＧＥメッセージを生成する。
【０１６１】
このようなＭＥＳＳＡＧＥメッセージを受信した呼制御サーバは、ＧＷ１２０Ｂに転送する（Ｓ６４６）。
【０１６２】
そして、このようなＭＥＳＳＡＧＥメッセージを受信したＧＷ１２０Ｂは、全体制御部１３１が、切断信号を生成し、ＭＥＳＳＡＧＥメッセージで特定される宛先である電話端末１１０Ｃに切断信号を送信する（Ｓ６４７）。
【０１６３】
さらに、ＧＷ１２０ＢのＳＩＰ処理部１３４は、接続先テーブル１２３ａを検索し、電話端末１１０Ａ及び電話端末１１０Ｃ間の通話に対応する情報を削除する（Ｓ６４８）。この際、ＳＩＰ処理部１３４は、通話テーブル１２４ａから対応する情報を削除する。
【０１６４】
そして、ＧＷ１２０ＢのＳＩＰ処理部１３４は、ＭＥＳＳＡＧＥメッセージに対する２００ＯＫメッセージを生成して、呼制御サーバに送信する（Ｓ６４９）。
【０１６５】
ステップＳ６４９で生成する２００ＯＫメッセージについては、図８に示すような２００ＯＫメッセージ１７１のメッセージボディ１７１ｃにおいて、接続元ＧＷＮｏ格納領域１７１ｅには、接続先テーブル１２３ａの切断した通話における接続元ＧＷＮｏ欄１２３ｃに格納されていた情報を格納し、接続先ＧＷＮｏ格納領域１７１ｆには、当該通話における接続先ＧＷＮｏ欄１２３ｄに格納されていた情報を格納し、応答種別格納領域１７１ｇには、ＭＥＳＳＡＧＥを特定する情報を格納することで生成される。
【０１６６】
そして、このような２００ＯＫメッセージを受信した呼制御サーバは、ＧＷ１２０Ａに転送する（Ｓ６５０）。
【０１６７】
このような２００ＯＫメッセージを受信したＧＷ１２０ＡのＳＩＰ処理部１３４は、接続先テーブル１２３ａを検索し、電話端末１１０Ａ及び電話端末１１０Ｃ間の通話に対応する情報を削除する（Ｓ６５１）。また、この際、ＳＩＰ処理部１３４は、通話テーブル１２４ａから対応する情報を削除する。
【０１６８】
以上の処理により、ＧＷ１２０ＡとＧＷ１２０Ｂとの間に確立されているＳＩＰセッションに収容されていた電話端末１１０Ａと電話端末１１０Ｃとの間の通話が切断される。
【０１６９】
なお、以上の処理によってもＧＷ１２０ＡとＧＷ１２０Ｂとの間のＳＩＰセッションは切断されず、電話端末１１０Ｂと電話端末１１０Ｄとの間の通話は維持される。
【０１７０】
図１６は、通信システム１００における切断処理を示すシーケンス図である。本シーケンスでは、ＧＷ１２０間に確立されているセッションに一つの通話が収容されており、この通話を切断する場合の処理を示す。
【０１７１】
まず、図１５で示す切断処理により、ＧＷ１２０Ａ及びＧＷ１２０Ｂ間にＳＩＰセッションが確立し（Ｓ６６０）、電話端末１１０Ｂ及び電話端末１１０Ｄ間での通話（Ｓ６６１）が行われているものとする。
【０１７２】
このような状態で、電話端末１１０Ｂが電話端末１１０Ｄとの間の通話を切断する場合には、電話端末１１０Ｂから切断信号が送信される（Ｓ６６２）。
【０１７３】
このような切断信号を受信したＧＷ１２０Ａでは、ＳＩＰ処理部１３４が、通話テーブル１２４ａ及び接続先テーブル１２３ａから切断する通話を特定して（Ｓ６６３）、ＢＹＥメッセージを生成して、ネットワーク１６０の呼制御サーバに送信する（Ｓ６６４）。
【０１７４】
ここで、ＳＩＰ処理部１３４は、接続先テーブル１２３ａから切断する通話の接続元ＧＷＮｏ欄１２３ｃ及び接続先ＧＷＮｏ欄１２３ｄに格納されている情報を抽出し、図１０に示すようなＢＹＥメッセージ１７３のメッセージボディ１７３ｃにおける接続元ＧＷＮｏ格納領域１７３ｅ及び接続先ＧＷＮｏ格納領域１７３ｆに、抽出した情報をそれぞれ格納することで、ＢＹＥメッセージを生成する。
【０１７５】
このようなＢＹＥメッセージを受信した呼制御サーバは、ＧＷ１２０Ｂに転送する（Ｓ６６５）。
【０１７６】
そして、このようなＢＹＥメッセージを受信したＧＷ１２０Ｂは、全体制御部１３１が、切断信号を生成し、ＢＹＥメッセージで特定される宛先である電話端末１１０Ｄに切断信号を送信する（Ｓ６６６）。
【０１７７】
さらに、ＧＷ１２０ＢのＳＩＰ処理部１３４は、接続先テーブル１２３ａを検索し、電話端末１１０Ｂ及び電話端末１１０Ｄ間の通話に対応する情報を削除する（Ｓ６６７）。また、この際、ＳＩＰ処理部１３４は、通話テーブル１２４ａから対応する情報を削除する。
【０１７８】
そして、ＧＷ１２０ＢのＳＩＰ処理部１３４は、ＢＹＥメッセージに対する２００ＯＫメッセージを生成して、呼制御サーバに送信する（Ｓ６６８）。
【０１７９】
ステップＳ６６８で生成する２００ＯＫメッセージについては、図８に示すような２００ＯＫメッセージ１７１のメッセージボディ１７１ｃにおいて、接続元ＧＷＮｏ格納領域１７１ｅには、接続先テーブル１２３ａの切断した通話における接続元ＧＷＮｏ欄１２３ｃに格納されていた情報を格納し、接続先ＧＷＮｏ格納領域１７１ｆには、当該通話における接続先ＧＷＮｏ欄１２３ｄに格納されていた情報を格納し、応答種別格納領域１７１ｇには、ＢＹＥを特定する情報を格納することで生成される。
【０１８０】
そして、このような２００ＯＫメッセージを受信した呼制御サーバは、ＧＷ１２０Ａに転送する（Ｓ６６９）。
【０１８１】
このような２００ＯＫメッセージを受信したＧＷ１２０ＡのＳＩＰ処理部１３４は、接続先テーブル１２３ａを検索し、電話端末１１０Ｂ及び電話端末１１０Ｄ間の通話に対応する情報を削除する（Ｓ６７０）。また、この際、ＳＩＰ処理部１３４は、通話テーブル１２４ａから対応する情報を削除する。
【０１８２】
以上の処理により、ＧＷ１２０ＡとＧＷ１２０Ｂとの間に確立されているＳＩＰセッションを切断する（Ｓ６７１）。
【０１８３】
以上のように、図１５及び図１６の処理によれば、一つのセッションに収容されている複数の通話を個々に切断することができ、全ての通話が切断されることでセッションを切断することができる。
【０１８４】
図１７は、ＧＷ１２０が電話端末１１０より発呼信号を受信する際の処理を示すフローチャートである。
【０１８５】
まず、ＧＷ１２０は、電話端末１１０より発呼信号を受信すると（Ｓ６８０）、ＧＷ１２０の全体制御部１３１は、宛先である電話端末１１０側ＧＷ１２０のＧＷＮｏを発呼信号から取得し、ＧＷ１２０のＳＩＰ処理部１３４が、当該ＧＷＮｏが切替テーブル１２２ａに登録されているか否かを確認する（Ｓ６８１）。
【０１８６】
そして、当該ＧＷＮｏが切替テーブル１２２ａに登録されている場合には（ステップＳ６８１でＹＥＳ）、ステップＳ６８２に進み、登録されていない場合には（ステップＳ６８１でＮＯ）、ステップＳ６８４に進む。
【０１８７】
ステップＳ６８２では、ＧＷ１２０のＳＩＰ処理部１３４は、ステップＳ６８１で取得したＧＷＮｏが接続先テーブル１２３ａの接続先ＧＷＮｏ欄１２３ｄに登録されているか否かを確認する（Ｓ６８２）。
【０１８８】
そして、当該ＧＷＮｏが接続先テーブル１２３ａの接続先ＧＷＮｏ欄１２３ｄに登録されている場合には（ステップＳ６８２でＹＥＳ）、ステップＳ６８３に進み、当該ＧＷＮｏが接続先テーブル１２３ａの接続先ＧＷＮｏ欄１２３ｄに登録されていない場合には（ステップＳ６８２でＮＯ）、ステップＳ６８４に進む。
【０１８９】
ステップＳ６８３では、ＧＷ１２０のＳＩＰ処理部１３４は、図１１に示すＩＮＶＩＴＥ用のＭＥＳＳＡＧＥメッセージ１７４を生成して、ネットワーク１６０の呼制御サーバに送信する。
【０１９０】
一方、ステップＳ６８４では、ＧＷ１２０のＳＩＰ処理部１３４は、図７に示すようなＩＮＶＩＴＥメッセージ１７０を生成して、ネットワーク１６０の呼制御サーバに送信する。
【０１９１】
図１８は、ＧＷ１２０がＳＩＰメッセージを受信して接続を行う際の処理を示すフローチャートである。
【０１９２】
ＧＷ１２０のＳＩＰ処理部１３４は、ＳＩＰのメッセージを受信すると（Ｓ６９０）、受信したＳＩＰメッセージのスタートラインがＭＥＳＳＡＧＥであることを特定するものであるか否かを確認する（Ｓ６９１）。
【０１９３】
そして、ＳＩＰメッセージのスタートラインがＭＥＳＳＡＧＥである場合には（Ｓ６９１でＹＥＳ）、ステップＳ６９２に進み、ＳＩＰメッセージのスタートラインがＭＥＳＳＡＧＥでない場合には（Ｓ６９１でＮＯ）、ステップＳ６９６に進む。
【０１９４】
ステップＳ６９２では、ＳＩＰ処理部１３４は、ＭＥＳＳＡＧＥメッセージのメッセージボディにおけるメッセージ種別格納領域に格納されている情報が、ＩＮＶＩＴＥであることを特定するものであるか否かを確認する。
【０１９５】
そして、ＭＥＳＳＡＧＥメッセージのメッセージ種別がＩＮＶＩＴＥである場合には（Ｓ６９２でＹＥＳ）、ステップＳ６９３に進み、ＭＥＳＳＡＧＥメッセージのメッセージ種別がＩＮＶＩＴＥでない場合には（Ｓ６９２でＮＯ）、ステップＳ６９５に進む。
【０１９６】
ステップ６９３では、ＳＩＰ処理部１３４は、ＭＥＳＳＡＧＥメッセージのメッセージボディから必要な情報を取得して、接続先テーブル１２３ａに登録する処理を行う（Ｓ６９３）。
【０１９７】
そして、ＧＷ１２０の全体制御部１３１は、ＭＥＳＳＡＧＥメッセージで宛先として特定された電話端末１１０に着呼信号を送信する（Ｓ６９４）。
【０１９８】
また、ステップＳ６９５では、ＳＩＰ処理部１３４は、ＳＩＰにしたがって、ＭＥＳＳＡＧＥメッセージにより予め定められた処理を実行する。
【０１９９】
また、ステップＳ６９６では、ＳＩＰ処理部１３４は、ステップＳ６９０で受信したＳＩＰメッセージのスタートラインがＩＮＶＩＴＥであることを特定するものであるか否かを確認する。
【０２００】
そして、ＳＩＰメッセージのスタートラインがＩＮＶＩＴＥである場合には（Ｓ６９６でＹＥＳ）、ステップＳ６９７に進み、ＳＩＰメッセージのスタートラインがＩＮＶＩＴＥでない場合には（Ｓ６９６でＮＯ）、ステップＳ６９９に進む。
【０２０１】
ステップＳ６９７では、ＳＩＰ処理部１３４は、ＩＮＶＩＴＥメッセージのメッセージボディから必要な情報を取得して、接続先テーブル１２３ａに登録する処理を行う（Ｓ６９７）。
【０２０２】
そして、ＧＷ１２０の全体制御部１３１は、ＩＮＶＩＴＥメッセージで宛先として特定された電話端末１１０に着呼信号を送信する（Ｓ６９８）。
【０２０３】
また、ステップＳ６９９では、ＳＩＰ処理部１３４は、ステップＳ６９０で受信したＳＩＰメッセージのスタートラインがＡＣＫであることを特定するものであるか否かを確認する。
【０２０４】
そして、ＳＩＰメッセージがＡＣＫである場合には（Ｓ６９９でＹＥＳ）、ステップＳ７００に進み、ＳＩＰメッセージがＡＣＫでない場合には（Ｓ６９９でＮＯ）、ステップＳ７０２に進む。
【０２０５】
ステップＳ７００では、ＳＩＰ処理部１３４は、接続先テーブル１２３ａに登録されている符号化方式に切り替えるように符号方式切替部１３２に指示を出して、符号処理部１３３での符号化方式を設定する。
【０２０６】
そして、ＳＩＰ処理部１３４は、セッションを確立する（Ｓ７０１）。
【０２０７】
また、ステップＳ７０２では、ＳＩＰ処理部１３４は、ステップＳ６９０で受信したＳＩＰメッセージのスタートラインが２００ＯＫであることを特定するものであるか否かを確認する。
【０２０８】
そして、ＳＩＰメッセージが２００ＯＫである場合には（Ｓ７０２でＹＥＳ）、ステップＳ７０３に進み、ＳＩＰメッセージが２００ＯＫでない場合には（Ｓ７０２でＮＯ）、ステップＳ７０７に進む。
【０２０９】
ステップＳ７０３では、ＳＩＰ処理部１３４は、２００ＯＫメッセージがＩＮＶＩＴＥへの応答であるか否かを確認する。
【０２１０】
そして、２００ＯＫメッセージがＩＮＶＩＴＥへの応答である場合には（Ｓ７０３でＹＥＳ）、ステップＳ７０４に進み、２００ＯＫメッセージがＩＮＶＩＴＥへの応答でない場合には（Ｓ７０３でＮＯ）、ステップＳ７０７に進む。
【０２１１】
ステップＳ７０４では、ＳＩＰ処理部１３４は、ＡＣＫメッセージを生成して、ネットワーク１６０に設置されている呼制御サーバに送信する。
【０２１２】
そして、ＳＩＰ処理部１３４は、２００ＯＫメッセージのメッセージボディから必要な情報を取得して、接続先テーブル１２３ａに登録する処理を行い（Ｓ７０５）、接続先テーブル１２３ａに登録されている符号化方式に切り替えるように符号方式切替部１３２に指示を出す（Ｓ７０６）。
【０２１３】
また、ステップＳ７０７では、ＳＩＰ処理部１３４は、ＳＩＰにしたがって、ＳＩＰメッセージにより予め定められた処理を実行する。
【０２１４】
図１９は、ＧＷ１２０が電話端末１１０より切断信号を受信する際の処理を示すフローチャートである。
【０２１５】
まず、ＧＷ１２０のＳＩＰ処理部１３４は、電話端末１１０より切断信号を受信すると（Ｓ７１０）、接続先テーブル１２３ａを検索し、切断する電話端末１１０側のＧＷ１２０との間に張られているセッションで複数の通話が行われているか否かを確認する（Ｓ７１１）。
【０２１６】
そして、切断する電話端末１１０側のＧＷ１２０との間に張られているセッションで複数の通話が行われている場合には（ステップＳ７１１でＹＥＳ）、ステップＳ７１２に進み、切断する電話端末１１０側のＧＷ１２０との間に張られているセッションで複数の通話が行われていない場合には（ステップＳ７１１でＮＯ）、ステップＳ７１３に進む。
【０２１７】
ステップＳ７１２では、ＧＷ１２０のＳＩＰ処理部１３４は、図１２に示すＢＹＥ用のＭＥＳＳＡＧＥメッセージ１７５を生成して、ネットワーク１６０の呼制御サーバに送信する。
【０２１８】
一方、ステップＳ７１３では、ＧＷ１２０のＳＩＰ処理部１３４は、図１０に示すようなＢＹＥメッセージ１７３を生成して、ネットワーク１６０の呼制御サーバに送信する。
【０２１９】
図２０は、ＧＷ１２０がＳＩＰメッセージを受信して切断を行う際の処理を示すフローチャートである。
【０２２０】
ＧＷ１２０のＳＩＰ処理部１３４は、ＳＩＰのメッセージを受信すると（Ｓ７２０）、受信したＳＩＰメッセージのスタートラインがＭＥＳＳＡＧＥであることを特定するものであるか否かを確認する（Ｓ７２１）。
【０２２１】
そして、ＳＩＰメッセージのスタートラインがＭＥＳＳＡＧＥである場合には（Ｓ７２１でＹＥＳ）、ステップＳ７２２に進み、ＳＩＰメッセージのスタートラインがＭＥＳＳＡＧＥでない場合には（Ｓ７２１でＮＯ）、ステップＳ７２７に進む。
【０２２２】
ステップＳ７２２では、ＳＩＰ処理部１３４は、ＭＥＳＳＡＧＥメッセージのメッセージボディにおけるメッセージ種別格納領域に格納されている情報が、ＢＹＥであることを特定するものであるか否かを確認する。
【０２２３】
そして、ＭＥＳＳＡＧＥメッセージのメッセージ種別がＢＹＥである場合には（Ｓ７２２でＹＥＳ）、ステップＳ７２３に進み、ＭＥＳＳＡＧＥメッセージのメッセージ種別がＢＹＥでない場合には（Ｓ７２２でＮＯ）、ステップＳ７２６に進む。
【０２２４】
ステップＳ７２３では、ＧＷ１２０の全体制御部１３１は、ＭＥＳＳＡＧＥメッセージで特定される宛先の電話端末１１０に切断信号を送信する。
【０２２５】
そして、ＧＷ１２０のＳＩＰ処理部１３４は、接続先テーブル１２３ａから切断した通話に対応する情報を削除する処理を行う（Ｓ７２４）。
【０２２６】
そして、ＧＷ１２０のＳＩＰ処理部１３４は、図８に示すような２００ＯＫメッセージ１７１を生成して、ネットワーク１６０の呼制御サーバに送信する（Ｓ７２５）。
【０２２７】
また、ステップＳ７２６では、ＳＩＰ処理部１３４は、ＳＩＰにしたがって、ＭＥＳＳＡＧＥメッセージにより予め定められた処理を実行する。
【０２２８】
また、ステップＳ７２７では、ＳＩＰ処理部１３４は、ステップＳ７２０で受信したＳＩＰメッセージのスタートラインがＢＹＥであることを特定するものであるか否かを確認する。
【０２２９】
そして、ＳＩＰメッセージのスタートラインがＢＹＥである場合には（Ｓ７２７でＹＥＳ）、ステップＳ７２８に進み、ＳＩＰメッセージのスタートラインがＢＹＥでない場合には（Ｓ７２７でＮＯ）、ステップＳ７３１に進む。
【０２３０】
ステップＳ７２８では、ＧＷ１２０の全体制御部１３１は、ＢＹＥメッセージで特定される宛先の電話端末１１０に切断信号を送信する。
【０２３１】
そして、ＧＷ１２０のＳＩＰ処理部１３４は、接続先テーブル１２３ａから切断した通話に対応する情報を削除する処理を行う（Ｓ７２９）。
【０２３２】
そして、ＧＷ１２０のＳＩＰ処理部１３４は、図８に示すような２００ＯＫメッセージ１７１を生成して、ネットワーク１６０の呼制御サーバに送信する（Ｓ７３０）。
【０２３３】
また、ステップＳ７３１では、ＳＩＰ処理部１３４は、ステップＳ７２０で受信したＳＩＰメッセージのスタートラインが２００ＯＫであることを特定するものであるか否かを確認する。
【０２３４】
そして、ＳＩＰメッセージが２００ＯＫである場合には（Ｓ７３１でＹＥＳ）、ステップＳ７３２に進み、ＳＩＰメッセージが２００ＯＫでない場合には（Ｓ７３１でＮＯ）、ステップＳ７３５に進む。
【０２３５】
ステップＳ７３２では、ＳＩＰ処理部１３４は、２００ＯＫメッセージが、ＢＹＥメッセージへの応答であるか否かを確認する。
【０２３６】
そして、２００ＯＫメッセージがＢＹＥへの応答である場合には（Ｓ７３２でＹＥＳ）、ステップＳ７３３に進み、２００ＯＫメッセージがＢＹＥへの応答でない場合には（Ｓ７３２でＮＯ）、ステップＳ７３５に進む。
【０２３７】
ステップＳ７３３では、ＳＩＰ処理部１３４は、ＢＹＥメッセージで特定される通話に対応する情報を接続先テーブル１２３ａから削除する処理を行う。
【０２３８】
そして、ＳＩＰ処理部１３４は、図９に示すようなＡＣＫメッセージ１７２を生成して、ネットワーク１６０に設置されている呼制御サーバに送信する（Ｓ７３４）。
【０２３９】
また、ステップＳ７３５では、ＳＩＰ処理部１３４は、ＳＩＰにしたがって、ＳＩＰメッセージにより予め定められた処理を実行する。
【０２４０】
図２１は、本発明の第二の実施形態であるＧＷ２２０の概略図である。
【０２４１】
図示するようにＧＷ２２０は、記憶部１２１と、制御部２３０と、アナログ電話ＩＦ部１４０と、ネットワークＩＦ部１４１と、を備える。
【０２４２】
ここで、本実施形態におけるＧＷ２２０は、第一の実施形態と比較して、制御部２３０が異なっているため、以下この異なっている点に関連する事項について説明する。
【０２４３】
制御部２３０は、全体制御部１３１と、符号方式切替部２３２と、符号処理部１３３と、ＳＩＰ処理部２３４と、を備え、全体制御部１３１及び符号処理部１３３は、第一の実施形態と同様であるため、説明を省略する。
【０２４４】
符号方式切替部２３２は、後述するＳＩＰ処理部２３４の指示に応じて、後述する符号処理部１３３で符号化及び復号化する符号化方式を選択し、符号処理部１３３で使用する符号化方式を切り替える処理を行う。
【０２４５】
ここで、本実施形態における符号方式切替部２３２は、接続先テーブル１２３ａより、セッション内で行われる通話の数を特定し、特定した通話の数をセッションに割り振られている帯域に収容することのできる符号化方式のうち最も帯域の広いものを選択する。
【０２４６】
例えば、本実施形態では、セッションに６４ｋの帯域が割り振られており、当該セッションに１通話を収容する場合にはＧ．７１１（６４ｋ）の符号化方式を選択し、当該セッションに２通話を収容する場合にはＧ．７２６（３２ｋ）の符号化方式を選択し、当該セッションに３〜８通話を収容する場合にはＧ．７２９（８ｋ）の符号化方式を選択し、当該セッションに９又は１０通話を収容する場合にはＧ．７２３．１（６．３ｋ）の符号化方式を選択する。
【０２４７】
ＳＩＰ処理部２３４は、ＳＩＰを用いたメッセージを送受信する等の処理を制御する。
【０２４８】
また、ＳＩＰ処理部２３４は、後述するアナログ電話ＩＦ部１４０を介して送受信するアナログ電話信号と、ネットワークＩＦ部１４１を介して送受信するＩＰパケットと、から取得される情報が、切替テーブル１２２ａ、接続先テーブル１２３ａ又は通話テーブル１２４ａに格納されているか否かを確認する処理を行い、さらに、接続先テーブル１２３ａ又は通話テーブル１２４ａに必要な情報を格納し、削除する処理を行う。
【０２４９】
ここで、本実施形態においても、第一の実施形態で説明した図７〜図１０に示すＳＩＰメッセージを使用するが、ＭＥＳＳＡＧＥメッセージについては、図２２及び図２３に示すものを使用する。
【０２５０】
図２２は、本実施形態で使用するＩＮＶＩＴＥ用のＭＥＳＳＡＧＥメッセージ２７４の構造を示す概略図である。
【０２５１】
本実施形態におけるＩＮＶＩＴＥ用のＭＥＳＳＡＧＥメッセージ２７４は、第一の実施形態と比較して、メッセージボディ２７４ｃに符号化方式種別格納領域２７４ｊ及び無音期間格納領域２７４ｋが設けられている点で異なっているため、以下この異なっている点に関連する事項について説明する。
【０２５２】
符号化方式種別格納領域２７４ｊには、接続元ＧＷＮｏ格納領域１７４ｆで特定されるＧＷ２２０と、接続先ＧＷＮｏ格納領域１７４ｇで特定されるＧＷ２２０と、の間のセッションにおいて行われている通話で使用する符号化方式特定する情報が格納される。
【０２５３】
無音期間格納領域２７４ｋには、符号化方式を切り替えるために、ＧＷ２２０において電話端末１１０からのデータを廃棄する必要がある時間を特定する情報が格納される。なお、この時間については、符号化方式を切り替えるために必要な時間を適宜予め定めておけばよい。
【０２５４】
図２３は、本実施形態で使用するＢＹＥ用のＭＥＳＳＡＧＥメッセージ２７５の構造を示す概略図である。
【０２５５】
本実施形態におけるＢＹＥ用のＭＥＳＳＡＧＥメッセージ２７５は、第一の実施形態と比較して、メッセージボディ２７５ｃに無音期間格納領域２７５ｉが設けられている点で異なっているため、以下この異なっている点に関連する事項について説明する。
【０２５６】
無音期間格納領域２７５ｉには、符号化方式を切り替えるために、ＧＷ２２０において電話端末１１０からのデータを廃棄する必要がある時間を特定する情報が格納される。なお、この時間については、符号化方式を切り替えるために必要な時間を適宜予め定めておけばよい。
【０２５７】
図２４は、以上のように構成されるＧＷ２２０を用いた通信システムにおける接続処理を示すシーケンス図である。本シーケンスでは、ＧＷ２２０間に新たなセッションを確立する場合の処理を示す。
【０２５８】
なお、本実施形態においても、呼制御サーバはネットワーク１６０に接続されているものとし、また、ネットワーク１６０を介して確立されるセッションは、通常、符号化方式としてＧ．７１１が採用され、６４ｋの帯域で通信が行われるようにされているものとする。
【０２５９】
まず、電話端末１１０Ａは、電話端末１１０Ｃとの間で通話を行うために、発呼信号を送信する（Ｓ７４０）。ここでの発呼信号は、宛先である電話端末１１０Ｃの電話番号である＊３００と、電話端末１１０Ｃ側のＧＷ２２０Ｂの識別番号（ＧＷＮｏ）である６０００と、を特定したものであるとする。
【０２６０】
このような発呼信号を受信したＧＷ２２０Ａでは、全体制御部１３１が、発呼信号から電話端末１１０Ｃ側のＧＷ２２０ＢのＧＷＮｏ（６０００）を抽出して、ＳＩＰ処理部２３４に出力し、ＳＩＰ処理部２３４が、切替テーブル１２２ａに、電話端末１１０Ｃ側のＧＷ２２０ＢのＧＷＮｏ（６０００）が格納されているか否かを確認する（Ｓ７４１）。ここでは、ＧＷ２２０ＢのＧＷＮｏが切替テーブル１２２ａに格納されているものとする。
【０２６１】
次に、ＧＷ２２０ＡのＳＩＰ処理部２３４は、接続先テーブル１２３ａを検索し、電話端末１１０Ｃ側のＧＷ２２０ＢのＧＷＮｏ（６０００）が接続先テーブル１２３ａの接続先ＧＷＮｏ欄１２３ｄに格納されているか否かを確認する（Ｓ７４２）。ここでは、ＧＷ２２０ＢのＧＷＮｏは、接続先ＧＷＮｏ欄１２３ｄに格納されていないものとする。
【０２６２】
次に、ＧＷ２２０ＡのＳＩＰ処理部２３４は、図７に示すようなＩＮＶＩＴＥメッセージ１７０を生成して、ネットワークＩＦ部１４１を介して、呼制御サーバに送信する（Ｓ７４３）。ここで、本実施形態においては、ＩＮＶＩＴＥメッセージ１７０の符号化方式種別格納領域１７０ｈには、Ｇ．７１１（６４ｋ）を特定する情報が格納される。
。
【０２６３】
そして、ネットワーク１６０に設置されている呼制御サーバは、受信したＩＮＶＩＴＥメッセージを、呼制御サーバに登録されているレジスタ情報に基づいて、電話端末１１０Ｃ（ＧＷ２２０Ｂ）に転送する（Ｓ７４４）。
【０２６４】
次に、ＧＷ２２０Ｂの全体制御部１３１は、ネットワークＩＦ部１４１を介して受信したＩＮＶＩＴＥメッセージをＳＩＰ処理部２３４に出力し、ＳＩＰ処理部２３４が、メッセージボディ１７０ｃに格納されている情報を抽出して、抽出した情報を接続先テーブル１２３ａに登録する（Ｓ７４５）。
【０２６５】
そして、ＧＷ２２０Ｂの全体制御部１３１は、ＩＮＶＩＴＥメッセージで宛先として特定された電話端末１１０Ｃに着呼信号を送信する（Ｓ７４６）。
【０２６６】
このような着呼信号を受信した電話端末１１０Ｃにおいて、着呼に応ずる手続がなされた場合には、電話端末１１０Ｃは、応答信号を出力する（Ｓ７４７）。
【０２６７】
このような応答信号を受信したＧＷ２２０Ｂでは、ＳＩＰ処理部２３４が、図８に示すような２００ＯＫメッセージ１７１を生成して、ネットワークＩＦ部１４１を介して、ネットワーク１６０に設置されている呼制御サーバに送信する（Ｓ７４８）。この際、ＳＩＰ処理部２３４は、通話テーブル１２４ａに必要な情報を格納する。
【０２６８】
そして、このような２００ＯＫメッセージを受信した呼制御サーバは、ＧＷ２２０Ａに転送する（Ｓ７４９）。
【０２６９】
このような２００ＯＫメッセージを受信したＧＷ２２０Ａでは、ＳＩＰ処理部２３４が、ＡＣＫメッセージを生成して、ネットワークＩＦ部１４１を介して、ネットワーク１６０に設置されている呼制御サーバに送信する（Ｓ７５０）。
【０２７０】
そして、このようなＡＣＫメッセージを受信した呼制御サーバは、ＧＷ２２０Ｂに転送する（Ｓ７５１）。
【０２７１】
また、ＡＣＫメッセージを送信したＧＷ２２０Ａの全体制御部１３１は、ネットワークＩＦ部１４１を介して受信した２００ＯＫメッセージをＳＩＰ処理部２３４に出力し、ＳＩＰ処理部２３４が、メッセージボディ１７１ｃに格納されている情報を抽出して、抽出した情報を接続先テーブル１２３ａに格納する（Ｓ７５２）。なお、この際、ＳＩＰ処理部２３４は、通話テーブル１２４ａに必要な情報を格納する。
【０２７２】
次に、ＧＷ２２０ＡのＳＩＰ処理部２３４は、符号方式切替部２３２に指示を出し、符号方式切替部２３２は、接続先テーブル１２３ａに格納された符号化方式（ここでは、Ｇ．７１１）を、符号処理部１３３に設定する（Ｓ７５３）。そして、全体制御部１３１は、ネットワークＩＦ部１４１を制御して、符号方式切替部２３２で特定した符号化方式に対応したパケットを送信するようにする。
【０２７３】
また、呼制御サーバからＡＣＫメッセージを受信したＧＷ２２０Ｂでは、ＳＩＰ処理部２３４が指示を出し、符号方式切替部２３２が、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７１１）を符号処理部１３３に設定する（Ｓ７５４）。そして、全体制御部１３１は、ネットワークＩＦ部１４１を制御して、符号方式切替部１３２で特定した符号化方式に対応したパケットを送信するようにする。
【０２７４】
このような処理を行うことにより、ＧＷ２２０Ａ及びＧＷ２２０Ｂ間にＳＩＰセッションが確立する（Ｓ７５５）。ここで確立するセッションの帯域は、６４ｋの帯域となる。
【０２７５】
そして、電話端末１１０Ａ及び電話端末１１０Ｃ間で通話が可能となり、これらの間の通話では、ＧＷ２２０Ａ及びＧＷ２２０Ｂ間においてＧ．７１１の符号化方式が利用され、６４ｋの帯域が使用される（Ｓ７５６）。
【０２７６】
図２５は、本実施形態であるＧＷ２２０を用いた通信システムにおける接続処理を示すシーケンス図である。本シーケンスでは、ＧＷ２２０間に既にセッションが確立している場合の処理を示す。
【０２７７】
まず、図２４で示す接続処理により、ＧＷ２２０Ａ及びＧＷ２２０Ｂ間に、既にＳＩＰセッションが確立し（Ｓ７６０）、電話端末１１０Ａ及び電話端末１１０Ｃ間で通話が行われているものとする（Ｓ７６１）。
【０２７８】
このような状態で、電話端末１１０Ｂと電話端末１１０Ｄとの間で通話を行う場合には、電話端末１１０Ｂから電話端末１１０Ｄに発呼信号が送信される（Ｓ７６２）。ここでの発呼信号は、宛先である電話端末１１０Ｄの電話番号である＊４００と、電話端末１１０Ｄ側のＧＷ２２０ＢのＧＷＮｏである６０００と、を特定したものであるとする。
【０２７９】
このような発呼信号を受信したＧＷ２２０Ａでは、全体制御部１３１が、発呼信号から電話端末１１０Ｄ側のＧＷ２２０ＢのＧＷＮｏ（６０００）を抽出して、ＳＩＰ処理部２３４に出力し、ＳＩＰ処理部２３４が、切替テーブル１２２ａに、電話端末１１０Ｄ側のＧＷ２２０ＢのＧＷＮｏ（６０００）が格納されているか否かを確認する（Ｓ７６３）。ここでは、ＧＷ２２０ＢのＧＷＮｏが切替テーブル１２２ａに格納されているものとする。
【０２８０】
次に、ＧＷ２２０ＡのＳＩＰ処理部１３４は、接続先テーブル１２３ａを検索し、電話端末１１０Ｄ側のＧＷ２２０ＢのＧＷＮｏ（６０００）が接続先テーブル１２３ａの接続先ＧＷＮｏ欄１２３ｄに格納されているか否かを確認する（Ｓ７６４）。ここでは、ＧＷ２２０ＢのＧＷＮｏは、接続先ＧＷＮｏ欄１２３ｄに格納されているものとする。
【０２８１】
そして、ＧＷ２２０ＡのＳＩＰ処理部２３４は、図２２に示すようなＩＮＶＩＴＥ用のＭＥＳＳＡＧＥメッセージ２７４を生成して、ネットワークＩＦ部１４１を介して、呼制御サーバに送信する（Ｓ７６５）。なお、ステップＳ７６５では、ＳＩＰ処理部２３４は、電話端末１１０Ｄ側のＧＷ２２０ＢのＧＷＮｏ（６０００）が接続先テーブル１２３ａの接続先ＧＷＮｏ欄１２３ｄに格納されている数を符号方式切替部２３２に出力し、符号方式切替部２３２では、当該数に「１」をインクリメントすることで通話数を算出し、当該通話数をセッションに割り振られている帯域（ここでは、６４ｋ）に収容することのできる符号化方式のうち最も帯域の広いもの（ここでは、Ｇ．７２６）を選択して、ＳＩＰ処理部２３４に出力し、ＳＩＰ処理部２３４は、ＩＮＶＩＴＥ用のＭＥＳＳＡＧＥメッセージ２７４の符号方式種別格納領域２７４ｊに選択された符号化方式を格納する。
【０２８２】
そして、ネットワーク１６０に設置されている呼制御サーバは、受信したＭＥＳＳＡＧＥメッセージを、呼制御サーバに登録されているレジスタ情報に基づいて、電話端末１１０Ｄ（ＧＷ２２０Ｂ）に転送する（Ｓ７６６）。
【０２８３】
次に、ＧＷ２２０Ｂの全体制御部１３１は、ネットワークＩＦ部１４１を介して受信したＭＥＳＳＡＧＥメッセージをＳＩＰ処理部２３４に出力し、ＳＩＰ処理部２３４が、メッセージボディ１７４ｃに格納されている情報を抽出して、抽出した情報を接続先テーブル１２３ａに登録する（Ｓ７６７）。また、ステップＳ７６７では、ＳＩＰ処理部２３４は、ＭＥＳＳＡＧＥメッセージで特定されるＧＷ２２０に対応する接続先テーブル１２３ａの符号化方式欄１２３ｅに格納されている情報を、当該ＭＥＳＳＡＧＥメッセージの符号化方式種別格納領域２７４ｊに格納されている符号化方式（ここでは、Ｇ．７２６）に書き換える。
【０２８４】
そして、ＧＷ２２０Ｂの全体制御部１３１は、ＭＥＳＳＡＧＥメッセージで宛先として特定された電話端末１１０Ｄに着呼信号を送信する（Ｓ７６８）。
【０２８５】
このような着呼信号を受信した電話端末１１０Ｄにおいて、着呼に応ずる手続がなされた場合には、電話端末１１０Ｄは、応答信号を出力する（Ｓ７６９）。
【０２８６】
このような応答信号を受信したＧＷ２２０Ｂでは、ＳＩＰ処理部２３４が、図８に示すような２００ＯＫメッセージを生成して、ネットワークＩＦ部１４１を介して、ネットワーク１６０に設置されている呼制御サーバに送信する（Ｓ７７０）。この際、ＳＩＰ処理部２３４は、通話テーブル１２４ａに必要な情報を格納する。
【０２８７】
そして、このような２００ＯＫメッセージを受信した呼制御サーバは、ＧＷ２２０Ａに転送する（Ｓ７７１）。
【０２８８】
このような２００ＯＫメッセージを受信したＧＷ２２０Ａでは、ＳＩＰ処理部２３４が、図９に示すようなＡＣＫメッセージ１７２を生成して、ネットワークＩＦ部１４１を介して、ネットワーク１６０に設置されている呼制御サーバに送信する（Ｓ７７２）。
【０２８９】
そして、このようなＡＣＫメッセージを受信した呼制御サーバは、ＧＷ２２０Ｂに転送する（Ｓ７７３）。
【０２９０】
また、ＡＣＫメッセージを送信したＧＷ２２０Ａの全体制御部１３１は、ネットワークＩＦ部１４１を介して受信した２００ＯＫメッセージをＳＩＰ処理部２３４に出力し、ＳＩＰ処理部２３４が、メッセージボディ１７１ｃに格納されている情報を抽出して、抽出した情報を接続先テーブル１２３ａに登録する（Ｓ７７４）。ここで、接続先テーブル１２３ａの符号化方式欄１２３ｅには、ステップＳ７６４で選択した符号化方式（ここでは、Ｇ．７２６）を特定する情報が格納される。また、ステップＳ７７４では、２００ＯＫメッセージで特定されるＧＷ２２０に対応する接続先テーブル１２３ａの符号化方式欄１２３ｅに格納されている情報を、ステップＳ７６４で選択した符号化方式（ここでは、Ｇ．７２６）に書き換える。なお、この際、ＳＩＰ処理部２３４は、通話テーブル１２４ａに必要な情報を格納する。
【０２９１】
次に、ＧＷ２２０ＡのＳＩＰ処理部２３４は、符号化方式切替部２３２に指示を出し、符号化方式切替部２３２は接続先テーブル１２３ａに格納された符号化方式（ここでは、Ｇ．７２６）を符号処理部１３３に設定する（Ｓ７７５）。そして、全体制御部１３１は、ネットワークＩＦ部１４１を制御して、符号方式切替部２３２で特定した符号化方式に対応したパケットを送信するようにする。
【０２９２】
また、ＧＷ２２０ＡのＳＩＰ処理部２３４は、ステップＳ７７１で受信された２００ＯＫで特定されるＧＷ２２０間を介して行っている通話の符号化方式を、当該ＧＷ２２０に対応する接続先テーブル１２３ａの符号化方式欄１２３ｅに格納されている符号化方式（ここでは、Ｇ．７２６）に切り替える（Ｓ７７６）。
【０２９３】
また、呼制御サーバからＡＣＫメッセージを受信したＧＷ２２０Ｂでは、ＳＩＰ処理部２３４が符号化方式切替部２３２に指示を出し、符号化方式切替部２３２が、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７２６）を符号処理部１３３に設定する（Ｓ７７７）。そして、全体制御部１３１は、ネットワークＩＦ部１４１を制御して、符号方式切替部１３２で切り替えた符号化方式に対応したパケットを送信するようにする。
【０２９４】
また、ＧＷ２２０Ｂでは、ＳＩＰ処理部２３４は、ステップＳ７６６で送信されてきたＭＥＳＳＡＧＥメッセージの無音期間格納領域２７４ｋで特定される時間、電話端末１１０Ａから送られてくるデータを廃棄する（Ｓ７７８）。
【０２９５】
さらに、ＧＷ２２０ＢのＳＩＰ処理部２３４は、ステップＳ７７３で受信されたＡＣＫで特定されるＧＷ２２０間を介して行っている通話の符号化方式を、当該ＧＷ２２０に対応する接続先テーブル１２３ａの符号化方式欄１２３ｅに格納されている符号化方式（ここでは、Ｇ．７２６）に切り替える（Ｓ７７９）。
【０２９６】
このような処理を行うことにより、ＧＷ２２０Ａ及びＧＷ２２０Ｂ間に既に確立しているＳＩＰセッションで、電話端末１１０Ｂ及び電話端末１１０Ｄ間における通話が可能となり、これらの間の通話では、ＧＷ１２０Ａ及びＧＷ１２０Ｂ間においてＧ．７２６の符号化方式が利用され、３２ｋの帯域が使用される（Ｓ７８０）。
【０２９７】
以上のような処理を行うことにより、ＧＷ２２０間で確立された一つのＳＩＰセッションにおいて、複数の通話を行うことができるようになり、かつ、一つのＳＩＰセッションに収容する通話数に応じて最も広帯域の帯域を使用することができるようになる。
【０２９８】
図２６は、本実施形態であるＧＷ２２０を用いた通信システムにおける切断処理を示すシーケンス図である。本シーケンスでは、ＧＷ２２０間に確立されているセッションに二つの通話が収容されており、これらのうちの何れか一つの通話を切断する場合の処理を示す。
【０２９９】
まず、図２５で示す接続処理により、ＧＷ２２０Ａ及びＧＷ２２０Ｂ間にＳＩＰセッションが確立し（Ｓ７９０）、電話端末１１０Ａ及び電話端末１１０Ｃ間での通話（Ｓ７９１）と、電話端末１１０Ｂ及び電話端末１１０Ｄ間での通話（Ｓ７９２）と、が行われているものとする。
【０３００】
このような状態で、電話端末１１０Ａが電話端末１１０Ｃとの間の通話を切断する場合には、電話端末１１０Ａから切断信号が送信される（Ｓ７９３）。
【０３０１】
このような切断信号を受信したＧＷ２２０Ａでは、ＳＩＰ処理部２３４が、通話テーブル１２４ａ及び接続先テーブル１２３ａから切断する通話を特定して（Ｓ７９４）、図２３に示すようなＢＹＥ用のＭＥＳＳＡＧＥメッセージ２７５を生成して、ネットワーク１６０の呼制御サーバに送信する（Ｓ７９５）。
【０３０２】
このようなＭＥＳＳＡＧＥメッセージを受信した呼制御サーバは、ＧＷ２２０Ｂに転送する（Ｓ７９６）。
【０３０３】
そして、このようなＭＥＳＳＡＧＥメッセージを受信したＧＷ２２０Ｂは、全体制御部１３１が、切断信号を生成し、ＭＥＳＳＡＧＥメッセージで特定される宛先である電話端末１１０Ｃに切断信号を送信する（Ｓ７９７）。
【０３０４】
さらに、ＧＷ２２０ＢのＳＩＰ処理部２３４は、接続先テーブル１２３ａを検索し、ＭＥＳＳＡＧＥメッセージで特定される電話端末１１０Ａ及び電話端末１１０Ｃ間の通話に対応する情報を、通話テーブル１２４ａを参照して削除する（Ｓ７９８）。そして、ステップＳ７９８では、ＳＩＰ処理部２３４は、符号化方式切替部２３２に指示を出し、削除後の通話数から、当該通話数をセッションに割り振られている帯域（ここでは、６４ｋ）に収容することのできる符号化方式のうち最も帯域の広いもの（ここでは、Ｇ．７１１）を特定する。そして、特定した符号化方式が、当該削除した通話と同様のＧＷ２２０を介して行う通話に対応する接続先テーブル１２３ａの符号化方式欄１２３ｅに格納されている情報に一致しない場合には、当該情報を、特定した符号化方式（ここでは、Ｇ．７１１）に書き換える。なお、この際、ＳＩＰ処理部２３４は、通話テーブル１２４ａから対応する情報を削除する。
【０３０５】
そして、ＧＷ２２０ＢのＳＩＰ処理部２３４は、ＭＥＳＳＡＧＥメッセージに対する２００ＯＫメッセージ（図８参照）を生成して、呼制御サーバに送信する（Ｓ７９９）。
【０３０６】
そして、このような２００ＯＫメッセージを受信した呼制御サーバは、ＧＷ２２０Ａに転送する（Ｓ８００）。
【０３０７】
このような２００ＯＫメッセージを受信したＧＷ２２０ＡのＳＩＰ処理部２３４は、接続先テーブル１２３ａを検索し、電話端末１１０Ａ及び電話端末１１０Ｃの通話に対応する情報を削除する（Ｓ８０１）。そして、ステップＳ８０３では、ＳＩＰ処理部２３４は、符号化方式切替部２３２に指示を出し、符号化方式切替部２３２は、削除後の通話数から、当該通話数をセッションに割り振られている帯域（ここでは、６４ｋ）に収容することのできる符号化方式のうち最も帯域の広いもの（ここでは、Ｇ．７１１）を特定する。そして、特定した符号化方式が、当該削除した通話を同様のＧＷ２２０を介する通話に対応する接続先テーブル１２３ａの符号化方式欄１２３ｅに格納されている情報に一致しない場合には、当該情報を、特定した符号化方式（ここでは、Ｇ．７１１）に書き換える。なお、この際、ＳＩＰ処理部２３４は、通話テーブル１２４ａから対応する情報を削除する。
【０３０８】
そして、ＧＷ２２０ＡのＳＩＰ処理部２３４は、ステップＳ８０３で符号化方式を書き換えた場合には、符号化方式切替部２３２に指示を出し、符号化方式切替部２３２は、部号処理部１３３の符号化方式を書き換えた符号化方式に切り替える（Ｓ８０２）。
【０３０９】
また、ＧＷ２２０Ｂでは、呼制御サーバに２００ＯＫメッセージを送信（Ｓ７９９）の後、ＳＩＰ処理部２３４は、ステップＳ７９６で送信されてきたＭＥＳＳＡＧＥメッセージの無音期間格納領域２７５ｋで特定される時間、電話端末１１０Ａから送られてくるデータを廃棄する（Ｓ８０３）。
【０３１０】
さらに、ＧＷ２２０ＢのＳＩＰ処理部２３４は、符号化方式切替部２３２に指示を出すことで、符号化方式切替部２３２が、ステップＳ８０２で受信されたＡＣＫで特定されるＧＷ２２０間を介して行っている通話の符号化方式を、当該ＧＷ２２０に対応する接続先テーブル１２３ａの符号化方式欄１２３ｅに格納されている符号化方式（ここでは、Ｇ．７１１）に切り替える（Ｓ８０４）。
【０３１１】
以上の処理により、ＧＷ２２０ＡとＧＷ２２０Ｂとの間に確立されているＳＩＰセッションに収容されていた電話端末１１０Ａと電話端末１１０Ｃとの間の通話が切断される。
【０３１２】
なお、以上の処理によってもＧＷ２２０ＡとＧＷ２２０Ｂとの間のＳＩＰセッションは切断されず、電話端末１１０Ｂと電話端末１１０Ｄとの間の通話は維持され、かつ、ＳＩＰセッションに割り当てられている帯域に収容可能な帯域を使って通話を行うことができるようになる。
【０３１３】
なお、ＧＷ間２２０間に確立されているセッションに一つの通話が収容されている場合の処理は、図１６に示す処理と同様である。
【０３１４】
図２７は、本発明の第三の実施形態である通信システム３００の概略図である。
【０３１５】
図示するように、通信システム３００は、電話端末３１０Ａ〜３１０Ｄ（以下、個々の電話端末３１０Ａ〜３１０Ｄを特に区別しない場合には、電話端末３１０という）と、ＧＷ３２０Ａ、３２０Ｂ（以下、個々のＧＷ３２０Ａ、３２０Ｂを特に区別しない場合には、ＧＷ３２０という）と、を備えており、ＧＷ３２０は、終端装置１５０Ａ、１５０Ｂを介してネットワーク１６０に接続することができるようにされている。
【０３１６】
電話端末３１０は、音声通信を行う端末で、本実施形態においては、ＳＩＰに対応するメッセージを送受信することにより、呼接続を行うＳＩＰ端末が使用される。なお、電話端末３１０については、汎用のものを使用すればよいため、詳細な説明は省略する。
【０３１７】
図２８は、ＧＷ３２０の概略図である。
【０３１８】
図示するようにＧＷ３２０は、記憶部３２１と、制御部３３０と、ネットワークＩＦ部３４０Ａ、３４０Ｂと、を備える。
【０３１９】
記憶部３２１は、切替情報記憶領域１２２と、接続先情報記憶領域１２３と、符号化情報記憶領域１２５と、通話情報記憶領域３２４と、登録情報記憶領域３２６と、を備え、切替情報記憶領域１２２、接続先情報記憶領域１２３及び符号化情報記憶領域１２５と、に記憶される情報については、第一の実施形態と同様であるため説明を省略する。
【０３２０】
本実施形態における通話情報記憶領域３２４には、確立されたＳＩＰセッションで通信を行う電話端末３１０を特定する情報が記憶される。
【０３２１】
本実施形態においては、図２９（通話テーブル３２４ａの概略図）に示すような通話テーブル３２４ａが、通話情報記憶領域３２４に記憶される。
【０３２２】
図示するように、通話テーブル３２４ａは、通話Ｎｏ欄３２４ｂと、アドレス欄３２４ｃと、を備える。
【０３２３】
通話Ｎｏ欄３２４ｂには、ＧＷ３２０間で張られているセッションにおいて行われる通話を特定する情報が記憶され、ここでは、図４に示す接続先テーブル１２３ａの通話Ｎｏ欄１２３ｂで特定される情報（通話Ｎｏ）に対応する情報が格納される。
【０３２４】
アドレス欄３２４ｃには、通話Ｎｏ欄３２４ｂで特定される通話において通信を行う電話端末３１０のアドレス情報（ここでは、ＩＰアドレス）が格納される。
【０３２５】
登録情報記憶領域３２６には、ＧＷ３２０を介して通信を行う電話端末３１０の識別番号（電話番号）及びアドレスを特定する情報が格納される。
【０３２６】
本実施形態においては、図３０（登録テーブル３２６ａの概略図）に示すような登録テーブル３２６ａが、登録情報記憶領域３２６に記憶される。
【０３２７】
図示するように、登録テーブル３２６ａは、電話番号欄３２６ｂと、アドレス欄３２６ｃと、を備える。
【０３２８】
電話番号欄３２６ｂには、電話端末３１０の論理アドレスである電話番号を特定する情報が格納される。
【０３２９】
アドレス欄３２６ｃには、電話番号欄３２６ｂで特定される論理アドレスを有する電話端末３１０のコンタクトアドレス（ＩＰアドレス）を特定する情報が格納される。
【０３３０】
制御部３３０は、全体制御部３３１と、符号方式切替部１３２と、符号処理部１３３と、ＳＩＰ処理部３３４と、を備える。
【０３３１】
全体制御部３３１は、ＧＷ３２０における全体の処理を制御する。
【０３３２】
特に、全体制御部３３１は、終端装置１５０側のネットワークＩＦ部３４０Ｂを制御して、後述する符号方式切替部１３２で切り替えた符号化方式に対応したパケットを送信する処理を行う。
【０３３３】
ＳＩＰ処理部３３４は、ＳＩＰを用いたメッセージを送受信等する処理を制御する。
【０３３４】
また、ＳＩＰ処理部３３４は、後述するネットワークＩＦ部３４０Ａ、３４０Ｂを介して送受信するＩＰパケットから取得される情報が、切替テーブル１２２ａ、接続先テーブル１２３ａ又は通話テーブル３２４ａに格納されているか否かを確認する処理を行い、さらに、接続先テーブル１２３ａ又は通話テーブル３２４ａに必要な情報を格納し、削除する処理を行う。
【０３３５】
また、本実施形態におけるＳＩＰ処理部３３４は、ＧＷ３２０の配下に収容される電話端末３１０からのＲＥＧＩＳＴＥＲメッセージを受信し、登録テーブル３２６ａに登録する等、ＳＩＰサーバとしての処理も制御する。
【０３３６】
さらに、本実施形態におけるＳＩＰ処理部３３４は、電話端末３１０との間で送受信するＳＩＰメッセージと、ＧＷ３２０間で送受信するＳＩＰメッセージと、を変換する処理を行う。
【０３３７】
ここで、本実施形態において、ＧＷ３２０間で使用するＳＩＰメッセージについては、図７〜図１２に示すものと同様なものを使用する。
【０３３８】
ネットワークＩＦ部３４０Ａ、３４０Ｂは、ネットワークを介して情報を送受信するためのインターフェースである。ここで、本実施形態においては、ネットワークＩＦ部３４０Ａは、電話端末３１０側に接続されており、ネットワークＩＦ部３４０Ｂは、ネットワーク１６０側に接続されているものとする。
【０３３９】
また、本実施形態におけるネットワーク１６０にも、ＳＩＰに従った呼制御を行う呼制御サーバが接続されているものとする。この呼制御サーバについては、汎用のものを用いればよいため、説明を省略する。
【０３４０】
図３１は、以上のように構成される通信システム３００における接続処理を示すシーケンス図である。本シーケンスでは、ＧＷ３２０間に新たなセッションを確立する場合の処理を示す。
【０３４１】
なお、図３１に示す呼制御サーバは、ネットワーク１６０に接続されているものとする。
【０３４２】
また、ネットワーク１６０を介して確立されるセッションにおいては、通常は、符号化方式としてＧ．７１１が採用され、６４ｋの帯域で通信が行われるようにされているものとする。
【０３４３】
まず、電話端末３１０Ａは、電話端末３１０Ｃとの間で通話を行うために、ＩＮＶＩＴＥメッセージをＧＷ３２０Ａに送信する（Ｓ８１０）。ここでのＩＮＶＩＴＥメッセージは、ＳＩＰに定めるＩＮＶＩＴＥメッセージであり、宛先である電話端末３１０Ｃの電話番号である＊３００と、電話端末３１０Ｃ側のＧＷ３２０Ｂの識別番号（ＧＷＮｏ）である６０００と、を特定したものであるとする。
【０３４４】
このようなＩＮＶＩＴＥメッセージを受信したＧＷ３２０Ａでは、ＳＩＰ処理部３３４が、ＩＮＶＩＴＥメッセージから電話端末３１０Ｃ側のＧＷ３２０ＢのＧＷＮｏ（６０００）を抽出し、抽出したＧＷＮｏが切替テーブル１２２ａに格納されているか否かを確認する（Ｓ８１１）。ここでは、ＧＷ３２０ＢのＧＷＮｏが切替テーブル１２２ａに格納されているものとする。
【０３４５】
次に、ＧＷ３２０ＡのＳＩＰ処理部３３４は、接続先テーブル１２３ａを検索し、電話端末３１０Ｃ側のＧＷ３２０ＢのＧＷＮｏ（６０００）が接続先テーブル１２３ａの接続先ＧＷＮｏ欄１２３ｄに格納されているか否かを確認する（Ｓ８１２）。ここでは、ＧＷ１２０ＢのＧＷＮｏは、接続先ＧＷＮｏ欄１２３ｄに格納されていないものとする。
【０３４６】
次に、ＧＷ３２０ＡのＳＩＰ処理部３３４は、図７に示すようなＩＮＶＩＴＥメッセージ１７０を生成して、ネットワークＩＦ部３４０Ｂを介して、呼制御サーバに送信する（Ｓ８１３）。
【０３４７】
ここで、ＩＮＶＩＴＥメッセージの符号化方式種別格納領域１７０ｈに符号化方式であるＧ．７１１（６４ｋ）を特定する情報を格納する。
【０３４８】
そして、ネットワーク１６０に設置されている呼制御サーバは、受信したＩＮＶＩＴＥメッセージを、呼制御サーバに登録されているレジスタ情報に基づいて、電話端末３１０Ｃ（ＧＷ３２０Ｂ）に転送する（Ｓ８１４）。
【０３４９】
次に、ＧＷ３２０ＢのＳＩＰ処理部３３４は、ネットワークＩＦ部３４０Ｂを介して受信したＩＮＶＩＴＥメッセージからメッセージボディ１７０ｃに格納されている情報を抽出して、抽出した情報及び符号化情報記憶領域１２５に格納されている符合化方式を、接続先テーブル１２３ａに登録する（Ｓ８１５）。
【０３５０】
そして、ＧＷ３２０ＢのＳＩＰ処理部３３４は、受信したＩＮＶＩＴＥメッセージを宛先である電話端末３１０Ｃが対応する様式に変換して、電話端末３１０Ｃに送信する（Ｓ８１６）。
【０３５１】
このようなＩＮＶＩＴＥメッセージを受信した電話端末３１０Ｃにおいて、着呼に応ずる手続がなされた場合には、電話端末３１０Ｃは、ＩＮＶＩＴＥに対する２００ＯＫメッセージを返信する（Ｓ８１７）。なお、この際、ＳＩＰ処理部３３４は、通話テーブル３２４ａに必要な情報を格納する。
【０３５２】
このような２００ＯＫメッセージを受信したＧＷ３２０Ｂでは、ＳＩＰ処理部３３４が、図８に示すような２００ＯＫメッセージを生成して、ネットワークＩＦ部３４０Ｂを介して、ネットワーク１６０に設置されている呼制御サーバに送信する（Ｓ８１８）。
【０３５３】
そして、このような２００ＯＫメッセージを受信した呼制御サーバは、ＧＷ３２０Ａに転送する（Ｓ８１９）。
【０３５４】
このような２００ＯＫメッセージを受信したＧＷ３２０ＡのＳＩＰ処理部３３４は、受信した２００ＯＫメッセージを発信元である電話端末３１０Ａが対応する様式に変換して、電話端末３１０Ａに送信する（Ｓ８２０）。
【０３５５】
このような２００ＯＫメッセージを受信した電話端末３１０Ａでは、ＡＣＫメッセージを返信する（Ｓ８２１）。
【０３５６】
そして、このようなＡＣＫメッセージを受信したＧＷ３２０Ａでは、ＳＩＰ処理部３３４が、図９に示すようなＡＣＫメッセージを生成して、ネットワークＩＦ部３４０Ｂを介して、ネットワーク１６０に設置されている呼制御サーバに送信する（Ｓ８２２）。
【０３５７】
このようなＡＣＫメッセージを受信した呼制御サーバは、ＧＷ３２０Ｂに転送する（Ｓ８２３）。
【０３５８】
ＡＣＫメッセージを受信したＧＷ３２０ＡのＳＩＰ処理部３３４は、受信したＡＣＫメッセージを宛先である電話端末３１０Ｃが対応する様式に変換して、電話端末３１０Ｃに送信する（Ｓ８２４）。
【０３５９】
また、ＡＣＫメッセージを送信したＧＷ３２０ＡのＳＩＰ処理部３３４は、ネットワークＩＦ部３４０Ｂを介して受信した２００ＯＫメッセージからメッセージボディ１７１ｃに格納されている情報を抽出して、抽出した情報及び符号化情報記憶領域１２５に格納されている符合化方式を、接続先テーブル１２３ａに格納する（Ｓ８２５）。なお、この際、ＳＩＰ処理部３３４は、通話テーブル３２４ａに必要な情報を格納する。
【０３６０】
そして、ＧＷ３２０ＡのＳＩＰ処理部３３４は、符号方式切替部１３２に指示を出し、符号方式切替部１３２は、接続先テーブル１２３ａに格納された符号化方式（ここでは、Ｇ．７２６）を、符号処理部１３３に設定する（Ｓ８２６）。そして、全体制御部３３１は、ネットワークＩＦ部３４０を制御して、ネットワークＩＦ部３４０Ａを介して受信した符号化方式（Ｇ．７２６）のパケットを、符号方式切替部１３２で特定した符号化方式に対応するパケットに変換して送信するようにする。
【０３６１】
また、呼制御サーバからＡＣＫメッセージを受信したＧＷ３２０Ｂでは、ＳＩＰ処理部３３４が、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７２６）を符号方式切替部１３２に出力し、符号方式切替部１３２は、符号処理部１３３に当該符号化方式（Ｇ．７２６）を設定する（Ｓ８２７）。そして、全体制御部３３１は、ネットワークＩＦ部３４０を制御して、ネットワークＩＦ部３４０Ａを介して受信した符号化方式（Ｇ．７２６）のパケットを、符号方式切替部１３２で特定した符号化方式に対応するパケットに変換して送信するようにする。
【０３６２】
このような処理を行うことにより、電話端末３１０Ａ及びＧＷ３２０Ａ間、ＧＷ３２０Ａ及びＧＷ３２０Ｂ間、ＧＷ３２０Ｂ及び電話端末３１０Ｃ間、にＳＩＰセッションが確立する（Ｓ８２８、Ｓ８２９、Ｓ８３０）。ここで確立するセッションの帯域は、６４ｋの帯域となる。
【０３６３】
そして、電話端末３１０Ａ及び電話端末３１０Ｃ間で通話が可能となり、これらの間の通話では、ＧＷ３２０Ａ及びＧＷ３２０Ｂ間においてＧ．７２６の符号化方式が利用され、３２ｋの帯域が使用される（Ｓ８３１）。
【０３６４】
図３２は、通信システム３００における接続処理を示すシーケンス図である。本シーケンスでは、ＧＷ３２０間に既にセッションが確立されている場合の処理を示す。
【０３６５】
まず、図３１で示す接続処理により、ＧＷ３２０Ａ及びＧＷ３２０Ｂ間にＳＩＰセッションが確立し（Ｓ８４０）、電話端末３１０Ａ及び電話端末３１０Ｃ間で通話が行われているものとする（Ｓ８４１）。
【０３６６】
このような状態で、電話端末３１０Ｂと電話端末３１０Ｄとの間で通話を行う場合には、電話端末３１０ＢからＩＮＶＩＴＥメッセージがＧＷ３２０Ａに送信される（Ｓ８４２）。ここでのＩＮＶＩＴＥメッセージは、宛先である電話端末３１０Ｄの電話番号である＊４００と、電話端末３１０Ｄ側のＧＷ３２０ＢのＧＷＮｏである６０００と、を特定したものであるとする。
【０３６７】
このようなＩＮＶＩＴＥメッセージを受信したＧＷ３２０Ａでは、ＳＩＰ処理部３３４が、ＩＮＶＩＴＥメッセージから電話端末３１０Ｄ側のＧＷ３２０ＢのＧＷＮｏ（６０００）を抽出して、抽出したＧＷＮｏ（６０００）が切替テーブル１２２ａに格納されているか否かを確認する（Ｓ８４３）。ここでは、ＧＷ３２０ＢのＧＷＮｏが切替テーブル１２２ａに格納されているものとする。
【０３６８】
次に、ＧＷ３２０ＡのＳＩＰ処理部３３４は、接続先テーブル１２３ａを検索し、電話端末３１０Ｄ側のＧＷ３２０ＢのＧＷＮｏ（６０００）が接続先テーブル１２３ａの接続先ＧＷＮｏ欄１２３ｄに格納されているか否かを確認する（Ｓ８４４）。ここでは、ＧＷ３２０ＢのＧＷＮｏは、接続先ＧＷＮｏ欄１２３ｄに格納されているものとする。
【０３６９】
そして、ＧＷ３２０ＡのＳＩＰ処理部３３４は、図１１に示すようなＩＮＶＩＴＥ用のＭＥＳＳＡＧＥメッセージ１７４を生成して、ネットワークＩＦ部３４０Ｂを介して、呼制御サーバに送信する（Ｓ８４５）。
【０３７０】
そして、ネットワーク１６０に設置されている呼制御サーバは、受信したＭＥＳＳＡＧＥメッセージを、呼制御サーバに登録されているレジスタ情報に基づいて、電話端末３１０Ｄ（ＧＷ３２０Ｂ）に転送する（Ｓ８４６）。
【０３７１】
次に、ＧＷ３２０ＢのＳＩＰ処理部３３４は、ネットワークＩＦ部３４０Ｂを介して受信したＭＥＳＳＡＧＥメッセージからメッセージボディ１７４ｃに格納されている情報を抽出して、抽出した情報及び符号化情報記憶領域１２５に格納されている符合化方式を、接続先テーブル１２３ａに登録する（Ｓ８４７）。
【０３７２】
そして、ＧＷ３２０ＢのＳＩＰ処理部３３４は、ＭＥＳＳＡＧＥメッセージで宛先として特定された電話端末３１０Ｄが対応する様式のＩＮＶＩＴＥメッセージを生成して、当該電話端末３１０Ｄに送信する（Ｓ８４８）。
【０３７３】
このようなＩＮＶＩＴＥメッセージを受信した電話端末３１０Ｄにおいて、着呼に応ずる手続がなされた場合には、電話端末３１０Ｄは、ＩＮＶＩＴＥに対する２００ＯＫメッセージを返信する（Ｓ８４９）。
【０３７４】
このような２００ＯＫメッセージを受信したＧＷ３２０Ｂでは、ＳＩＰ処理部３３４が、図８に示すような２００ＯＫメッセージを生成して、ネットワークＩＦ部３４０Ｂを介して、ネットワーク１６０に設置されている呼制御サーバに送信する（Ｓ８５０）。なお、この際、ＳＩＰ処理部３３４は、通話テーブル３２４ａに必要な情報を格納する。
【０３７５】
そして、このような２００ＯＫメッセージを受信した呼制御サーバは、ＧＷ３２０Ａに転送する（Ｓ８５１）。
【０３７６】
このような２００ＯＫメッセージを受信したＧＷ３２０ＡのＳＩＰ処理部３３４は、受信した２００ＯＫメッセージを発信元である電話端末３１０Ｂが対応する様式に変換して、電話端末３１０Ｂに送信する（Ｓ８５２）。
【０３７７】
そして、２００ＯＫメッセージを受信した電話端末３１０Ｂでは、ＡＣＫメッセージを返信する（Ｓ８５３）。
【０３７８】
そして、このようなＡＣＫメッセージを受信したＧＷ３２０Ａでは、ＳＩＰ処理部３３４が、図９に示すようなＡＣＫメッセージを生成して、ネットワークＩＦ部３４０Ｂを介して、ネットワーク１６０に設置されている呼制御サーバに送信する（Ｓ８５４）。
【０３７９】
このようなＡＣＫメッセージを受信した呼制御サーバは、ＧＷ３２０Ｂに転送する（Ｓ８５５）。
【０３８０】
ＡＣＫメッセージを受信したＧＷ３２０ＢのＳＩＰ処理部３３４は、受信したＡＣＫメッセージを宛先である電話端末３１０Ｄが対応する様式に変換して、電話端末３１０Ｄに送信する（Ｓ８５６）。
【０３８１】
また、ＡＣＫメッセージを送信したＧＷ３２０ＡのＳＩＰ処理部３３４は、ネットワークＩＦ部３４０Ｂを介して受信した２００ＯＫメッセージからメッセージボディ１７１ｃに格納されている情報を抽出して、抽出した情報及び符号化情報記憶領域１２５に格納されている符合化方式を、接続先テーブル１２３ａに格納する（Ｓ８５７）。なお、この際、ＳＩＰ処理部３３４は、通話テーブル３２４ａに必要な情報を格納する。
【０３８２】
そして、ＧＷ３２０ＡのＳＩＰ処理部３３４は、符号方式切替部１３２に指示を出し、符号方式切替部１３２は、接続先テーブル１２３ａに格納された符号化方式（ここでは、Ｇ．７２６）を、符号処理部１３３に設定する（Ｓ８５８）。そして、全体制御部３３１は、ネットワークＩＦ部３４０を制御して、ネットワークＩＦ部３４０Ａを介して受信した符号化方式（Ｇ．７２６）のパケットを、符号方式切替部１３２で特定した符号化方式に対応するパケットに変換して送信するようにする。
【０３８３】
また、呼制御サーバからＡＣＫメッセージを受信したＧＷ３２０Ｂでは、ＳＩＰ処理部３３４が、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７２６）を符号方式切替部１３２に出力し、符号方式切替部１３２は、符号処理部１３３に当該符号化方式（Ｇ．７２６）を設定する（Ｓ８５９）。そして、全体制御部３３１は、ネットワークＩＦ部３４０を制御して、ネットワークＩＦ部３４０Ａを介して受信した符号化方式（Ｇ．７２６）のパケットを、符号方式切替部１３２で特定した符号化方式に対応するパケットに変換して送信するようにする。
【０３８４】
このような処理を行うことにより、電話端末３１０Ｂ及びＧＷ３２０Ａ間、ＧＷ３２０Ｂ及び電話端末３１０Ｄ間、にＳＩＰセッションが確立する（Ｓ８６０、Ｓ８６１）。ここで確立するセッションの帯域は、６４ｋの帯域となる。
【０３８５】
そして、電話端末３１０Ｂ及び電話端末３１０Ｄ間の通話は、既に確立されているＧＷ３２０Ａ及びＧＷ３２０Ｂ間のセッションを介して行われることとなり、これらの間の通話は、Ｇ．７２６の符号化方式が利用され、３２ｋの帯域が使用される（Ｓ８６２）。
【０３８６】
なお、以上の例では、帯域６４ｋのセッションにおいて、帯域３２ｋの通話を２回線入れるようにしているが、このような態様に限定されず、例えば、帯域６４ｋのセッションにおいて、帯域１６ｋの通話を１〜４回線入れるようにすることも可能である。即ち、一つのセッションに入れる回線の数に応じて、回線帯域（符号化方式）を適宜変更すればよい。
【０３８７】
図３３は、通信システム３００における切断処理を示すシーケンス図である。本シーケンスでは、ＧＷ３２０間に確立されているセッションに二つの通話が収容されており、これらのうちの何れか一つの通話を切断する場合の処理を示す。
【０３８８】
まず、図３２で示す接続処理により、ＧＷ３２０Ａ及びＧＷ３２０Ｂ間にＳＩＰセッションが確立し（Ｓ８７０）、電話端末３１０Ａ及び電話端末３１０Ｃ間での通話（Ｓ８７１）と、電話端末３１０Ｂ及び電話端末３１０Ｄ間での通話（Ｓ８７２）と、が行われているものとする。
【０３８９】
このような状態で、電話端末３１０Ａが電話端末３１０Ｃとの間の通話を切断する場合には、電話端末３１０ＡがＢＹＥメッセージをＧＷ３２０Ａに送信する（Ｓ８７３）。
【０３９０】
このようなＢＹＥメッセージを受信したＧＷ３２０Ａでは、ＳＩＰ処理部３３４が、通話テーブル３２４ａ及び接続先テーブル１２３ａから切断する通話を特定して（Ｓ８７４）、図１２に示すようなＢＹＥ用のＭＥＳＳＡＧＥメッセージを生成して、ネットワーク１６０の呼制御サーバに送信する（Ｓ８７５）。
【０３９１】
このようなＭＥＳＳＡＧＥメッセージを受信した呼制御サーバは、ＧＷ３２０Ｂに転送する（Ｓ８７６）。
【０３９２】
そして、このようなＭＥＳＳＡＧＥメッセージを受信したＧＷ３２０Ｂは、ＳＩＰ処理部３３４が、切断する宛先である電話端末３１０Ｃに対応する様式でＢＹＥメッセージを生成し、当該電話端末３１０Ｃに送信する（Ｓ８７７）。
【０３９３】
このようなＢＹＥメッセージに対して、電話端末３１０Ｃは、２００ＯＫメッセージを返信する（Ｓ８７８）。
【０３９４】
電話端末３１０Ｃから２００ＯＫメッセージを受信したＧＷ３２０Ｂでは、ＳＩＰ処理部３３４が、接続先テーブル１２３ａを検索し、電話端末３１０Ａ及び電話端末３１０Ｃ間の通話に対応する情報を削除する（Ｓ８７９）。なお、この際、ＳＩＰ処理部３３４は、通話テーブル３２４ａから対応する情報を削除する。
【０３９５】
そして、ＧＷ３２０ＢのＳＩＰ処理部３３４は、図８に示すようなＭＥＳＳＡＧＥに対する２００ＯＫメッセージを生成して、呼制御サーバに送信し（Ｓ８８０）、電話端末３１０Ｃとの間のセッションを切断する（Ｓ８８５）。
【０３９６】
そして、このような２００ＯＫメッセージを受信した呼制御サーバは、ＧＷ３２０Ａに転送する（Ｓ８８１）。
【０３９７】
ＧＷ３２０ＡのＳＩＰ処理部３３４は、受信した２００ＯＫメッセージを、ＢＹＥの送信元である電話端末３１０Ａが対応する様式の２００ＯＫメッセージに変換して、当該電話端末３１０Ａに送信する（Ｓ８８２）。
【０３９８】
２００ＯＫメッセージを受信したＧＷ３２０Ａでは、ＳＩＰ処理部３３４が、接続先テーブル１２３ａを検索し、切断する電話端末３１０Ａ及び電話端末３１０Ｃ間の通話に対応する情報を削除して（Ｓ８８３）、電話端末３１０Ａとの間のセッションを切断する（Ｓ８８４）。なお、この際、ＳＩＰ処理部３３４は、通話テーブル３２４ａから対応する情報を削除する。
【０３９９】
以上の処理により、ＧＷ３２０ＡとＧＷ３２０Ｂとの間に確立されているＳＩＰセッションに収容されていた電話端末３１０Ａと電話端末３１０Ｃとの間の通話が切断される。
【０４００】
なお、以上の処理によってもＧＷ３２０ＡとＧＷ３２０Ｂとの間のＳＩＰセッションは切断されず、電話端末３１０Ｂと電話端末３１０Ｄとの間の通話は維持される。
【０４０１】
図３４は、通信システム３００における切断処理を示すシーケンス図である。本シーケンスでは、ＧＷ３２０間に確立されているセッションに一つの通話が収容されており、この通話を切断する場合の処理を示す。
【０４０２】
まず、図３３で示す切断処理により、ＧＷ３２０Ａ及びＧＷ３２０Ｂ間にＳＩＰセッションが残っており（Ｓ９００）、電話端末３１０Ｂ及び電話端末３１０Ｄ間での通話（Ｓ９０１）が行われているものとする。
【０４０３】
このような状態で、電話端末３１０Ｂが電話端末３１０Ｄとの間の通話を切断する場合には、電話端末３１０ＢがＢＹＥメッセージをＧＷ３２０Ａに送信する（Ｓ９０２）。
【０４０４】
このようなＢＹＥメッセージを受信したＧＷ３２０Ａでは、ＳＩＰ処理部３３４が、通話テーブル１２４ａ及び接続先テーブル１２３ａから切断する通話を特定して（Ｓ９０３）、図１０に示すようなＢＹＥメッセージを生成して、ネットワーク１６０の呼制御サーバに送信する（Ｓ９０４）。
【０４０５】
このようなＢＹＥメッセージを受信した呼制御サーバは、ＧＷ３２０Ｂに転送する（Ｓ９０５）。
【０４０６】
そして、このようなＢＹＥメッセージを受信したＧＷ３２０Ｂは、ＳＩＰ処理部３３４が、切断する宛先である電話端末３１０Ｄに対応する様式にＢＹＥメッセージを変換し、当該電話端末３１０Ｄに送信する（Ｓ９０６）。
【０４０７】
このようなＢＹＥメッセージに対して、電話端末３１０Ｄは、２００ＯＫメッセージを返信する（Ｓ９０７）。
【０４０８】
電話端末３１０Ｄから２００ＯＫメッセージを受信したＧＷ３２０Ｂでは、ＳＩＰ処理部３３４が、接続先テーブル１２３ａを検索し、電話端末３１０Ｂ及び電話端末３１０Ｄ間の通話に対応する情報を削除する（Ｓ９０８）。なお、この際、ＳＩＰ処理部３３４は、通話テーブル３２４ａから対応する情報を削除する。
【０４０９】
そして、ＧＷ３２０ＢのＳＩＰ処理部３３４は、図８に示すようなＢＹＥに対する２００ＯＫメッセージを生成して、呼制御サーバに送信し（Ｓ９０９）、電話端末３１０Ｄとの間のセッションを切断する（Ｓ９１５）。
【０４１０】
そして、このような２００ＯＫメッセージを受信した呼制御サーバは、ＧＷ３２０Ａに転送する（Ｓ９１０）。
【０４１１】
ＧＷ３２０ＡのＳＩＰ処理部３３４は、受信した２００ＯＫメッセージを、ＢＹＥの送信元である電話端末３１０Ａが対応する様式の２００ＯＫメッセージに変換して、当該電話端末３１０Ａに送信する（Ｓ９１１）。
【０４１２】
２００ＯＫメッセージを受信したＧＷ３２０Ａでは、ＳＩＰ処理部３３４が、接続先テーブル１２３ａを検索し、切断する電話端末３１０Ｂ及び電話端末３１０Ｄ間の通話に対応する情報を削除して（Ｓ９１２）、電話端末３１０Ｂとの間のセッションを切断する（Ｓ９１３）とともにＧＷ３２０Ｂとの間のセッションを切断する（Ｓ９１４）。なお、この際、ＳＩＰ処理部３３４は、通話テーブル３２４ａから対応する情報を削除する。
【０４１３】
以上のように、図３３及び図３４の処理によれば、一つのセッションに収容されている複数の通話を個々に切断することができ、全ての通話が切断されることでＧＷ３２０間のセッションを切断することができる。
【０４１４】
なお、以上の実施形態においては、一つのセッションに収容される複数の通話は、帯域（符号化方式）が固定にされているが、このような態様に限定されず、例えば、第二の実施形態と同様に、一つのセッションに収容される通話の数により可変にすることが可能である。
【０４１５】
図３５は、本発明の第四の実施形態であるＧＷ４２０の概略図である。
【０４１６】
図示するようにＧＷ４２０は、記憶部４２１と、制御部４３０と、アナログ電話ＩＦ部１４０と、ネットワークＩＦ部１４１と、を備える。
【０４１７】
ここで、本実施形態におけるＧＷ４２０は、第一の実施形態と比較して、記憶部４２１及び制御部４３０が異なっているため、以下この異なっている点に関連する事項について説明する。
【０４１８】
記憶部４２１は、切替情報記憶領域１２２と、接続先情報記憶領域１２３と、通話情報記憶領域１２４と、送信元情報記憶領域４２７と、を備え、切替情報記憶領域１２２、接続先情報記憶領域１２３及び通話情報記憶領域１２４に記憶する情報については、第一の実施形態と同様であるため、説明を省略する。
【０４１９】
送信元情報記憶領域４２７には、帯域（符号化方式）の切り替えを行う対象となる送信元を特定する情報が格納される。
【０４２０】
例えば、本実施形態においては、図３６（送信元テーブル４２７ａの概略図）に示されているような送信元テーブル４２７ａが、送信元情報記憶領域４２７に記憶される。
【０４２１】
図示するように、送信元テーブル４２７ａは、送信元ＧＷＮｏ欄４２７ｂが設けられており、本欄には、帯域（符号化方式）の切り替えを行う対象となる送信元を特定する情報として、ＳＩＰメッセージの通信経路において、ＩＮＶＩＴＥメッセージの送信元とされた電話端末１１０側のＧＷ４２０を一意に識別するための識別情報が格納される。本実施形態においては、当該識別情報として、ＧＷ毎に割り振られているＧＷＮｏが格納される。
【０４２２】
制御部４３０は、全体制御部１３１と、符号方式切替部１３２と、符号処理部１３３と、ＳＩＰ処理部４３４と、を備え、全体制御部１３１、符号方式切替部１３２及び符号処理部１３３は、第一の実施形態と同様であるため、説明を省略する。
【０４２３】
ＳＩＰ処理部４３４は、ＳＩＰを用いたメッセージを送受信等する処理を制御する。
【０４２４】
また、ＳＩＰ処理部４３４は、後述するアナログ電話ＩＦ部１４０を介して送受信するアナログ電話信号と、ネットワークＩＦ部１４１を介して送受信するＩＰパケットと、から取得される情報が、切替テーブル１２２ａ、接続先テーブル１２３ａ又は通話テーブル１２４ａに格納されているか否かを確認する処理を行い、さらに、接続先テーブル１２３ａ又は通話テーブル１２４ａに必要な情報を格納し、削除する処理を行う。
【０４２５】
ここで、本実施形態においても、第一の実施形態で説明した図７〜図９、図１２に示すＳＩＰメッセージを使用する。
【０４２６】
図３７は、本実施形態で使用するＩＮＶＩＴＥ用のＭＥＳＳＡＧＥメッセージ４７４の構造を示す概略図である。
【０４２７】
本実施形態におけるＩＮＶＩＴＥ用のＭＥＳＳＡＧＥメッセージ４７４は、第一の実施形態と比較して、メッセージボディ４７４ｃに符号化方式種別格納領域４７４ｊが設けられている点で異なっているため、以下この異なっている点に関連する事項について説明する。
【０４２８】
符号化方式種別格納領域４７４ｊには、接続元ＧＷＮｏ格納領域１７４ｆで特定されるＧＷ４２０と、接続先ＧＷＮｏ格納領域１７４ｇで特定されるＧＷ４２０と、の間のセッションにおいて行われている通信（通話）で使用する符号化方式特定する情報が格納される。
【０４２９】
なお、ＳＩＰ処理部４３４での処理の詳細は、後述する。
【０４３０】
図３８は、以上のように構成されるＧＷ４２０を用いた通信システムにおける接続処理を示すシーケンス図である。本シーケンスでは、ＧＷ４２０間に新たなセッションを確立する場合の処理を示す。
【０４３１】
なお、本実施形態においても、呼制御サーバはネットワーク１６０に接続されているものとし、また、ネットワーク１６０を介して確立されるセッションは、通常、符号化方式としてＧ．７１１が採用され、６４ｋの帯域で通信が行われるようにされているものとする。
【０４３２】
まず、電話端末１１０Ａは、電話端末１１０Ｃとの間で通話を行うために、発呼信号を送信する（Ｓ９２０）。ここでの発呼信号は、宛先である電話端末１１０Ｃの電話番号である＊３００と、電話端末１１０Ｃ側のＧＷ４２０Ｂの識別番号（ＧＷＮｏ）である６０００と、を特定したものであるとする。
【０４３３】
このような発呼信号を受信したＧＷ４２０Ａでは、全体制御部１３１が、発呼信号から電話端末１１０Ｃ側のＧＷ４２０ＢのＧＷＮｏ（６０００）を抽出して、ＳＩＰ処理部４３４に出力し、ＳＩＰ処理部４３４が、切替テーブル１２２ａに、電話端末１１０Ｃ側のＧＷ４２０ＢのＧＷＮｏ（６０００）が格納されているか否かを確認する（Ｓ９２１）。ここでは、ＧＷ４２０ＢのＧＷＮｏが切替テーブル１２２ａに格納されているものとする。
【０４３４】
次に、ＧＷ４２０ＡのＳＩＰ処理部４３４は、接続先テーブル１２３ａを検索し、電話端末１１０Ｃ側のＧＷ４２０ＢのＧＷＮｏ（６０００）が接続先テーブル１２３ａの接続先ＧＷＮｏ欄１２３ｄに格納されているか否かを確認する（Ｓ９２２）。ここでは、ＧＷ４２０ＢのＧＷＮｏは、接続先ＧＷＮｏ欄１２３ｄに格納されていないものとする。
【０４３５】
次に、ＧＷ４２０ＡのＳＩＰ処理部４３４は、図７に示すようなＩＮＶＩＴＥメッセージ１７０を生成して、ネットワークＩＦ部１４１を介して、呼制御サーバに送信する（Ｓ９２３）。
【０４３６】
そして、ネットワーク１６０に設置されている呼制御サーバは、受信したＩＮＶＩＴＥメッセージを、呼制御サーバに登録されているレジスタ情報に基づいて、電話端末１１０Ｃ（ＧＷ４２０Ｂ）に転送する（Ｓ９２４）。
【０４３７】
次に、ＧＷ４２０Ｂの全体制御部１３１は、ネットワークＩＦ部１４１を介して受信したＩＮＶＩＴＥメッセージをＳＩＰ処理部４３４に出力し、ＳＩＰ処理部４３４が、メッセージボディ１７０ｃに格納されている情報を抽出し、ＳＩＰ処理部４３４は、ＩＮＶＩＴＥメッセージの接続元ＧＷＮｏ格納領域に格納されている情報で特定されるＧＷＮｏが送信元テーブル４２７ａに格納されているか否かを確認する（Ｓ９２５）。なお、ここでは、接続元ＧＷＮｏが送信元テーブル４２７ａに格納されているものとする。
【０４３８】
そして、ＧＷ４２０ＢのＳＩＰ処理部４３４は、図８に示すような２００ＯＫメッセージを生成し、ネットワーク１６０の呼制御サーバに返信する（Ｓ９２６）。
【０４３９】
このような２００ＯＫメッセージを受信した呼制御サーバは、当該２００ＯＫメッセージをＧＷ４２０Ａに転送する（Ｓ９２７）。
【０４４０】
そして、ＧＷ４２０ＡのＳＩＰ処理部４３４は、図９に示すようなＡＣＫメッセージを生成し、ネットワーク１６０の呼制御サーバに返信する（Ｓ９２８）。
【０４４１】
このようなＡＣＫメッセージを受信した呼制御サーバは、当該ＡＣＫメッセージをＧＷ４２０Ｂに転送することで（Ｓ９２９）、ＧＷ４２０Ａ及びＧＷ４２０Ｂ間でのＳＩＰセッションが確立する（Ｓ９３０）。なお、ここで確立するＳＩＰセッションについては、予め定められているところに従い、帯域が６４ｋの符号化方式Ｇ．７１１であるものとする。
【０４４２】
次に、ＧＷ４２０ＡのＳＩＰ処理部４３４は、ステップＳ９２３で送信したＩＮＶＩＴＥメッセージに基づいて、図１１に示すようなＩＮＶＩＴＥ用のＭＥＳＳＡＧＥメッセージ４７４を生成して、ネットワークＩＦ部１４１を介して、呼制御サーバに送信する（Ｓ９３１）。
【０４４３】
ここで、ＩＮＶＩＴＥ用のＭＥＳＳＡＧＥメッセージ４７４の符号化方式種別格納領域１７４ｊには、Ｇ．７１１（６４ｋ）よりも狹帯域である符号化方式（ここでは、Ｇ．７２６（３２ｋ））を特定する情報を格納するものとする。
【０４４４】
そして、ネットワーク１６０に設置されている呼制御サーバは、受信したＭＥＳＳＡＧＥメッセージを、呼制御サーバに登録されているレジスタ情報に基づいて、電話端末１１０Ｃ（ＧＷ４２０Ｂ）に転送する（Ｓ９３２）。
【０４４５】
次に、ＧＷ４２０Ｂの全体制御部１３１は、ネットワークＩＦ部１４１を介して受信したＭＥＳＳＡＧＥメッセージをＳＩＰ処理部４３４に出力し、ＳＩＰ処理部４３４が、メッセージボディ４７４ｃに格納されている情報を抽出して、抽出した情報を接続先テーブル１２３ａに登録する（Ｓ９３３）。
【０４４６】
そして、ＧＷ４２０Ｂの全体制御部１３１は、ＭＥＳＳＡＧＥメッセージで宛先として特定された電話端末１１０Ｃに着呼信号を送信する（Ｓ９３４）。
【０４４７】
このような着呼信号を受信した電話端末１１０Ｃにおいて、着呼に応ずる手続がなされた場合には、電話端末１１０Ｃは、応答信号を出力する（Ｓ９３５）。
【０４４８】
このような応答信号を受信したＧＷ４２０Ｂでは、ＳＩＰ処理部４３４が、図８に示すような２００ＯＫメッセージを生成して、ネットワークＩＦ部１４１を介して、ネットワーク１６０に設置されている呼制御サーバに送信する（Ｓ９３６）。
【０４４９】
そして、このような２００ＯＫメッセージを受信した呼制御サーバは、ＧＷ４２０Ａに転送する（Ｓ９３７）。この際、ＳＩＰ処理部４３４は、通話テーブル１２４ａに必要な情報を格納する。
【０４５０】
このような２００ＯＫメッセージを受信したＧＷ４２０Ａでは、ＳＩＰ処理部４３４が、図９に示すようなＡＣＫメッセージを生成して、ネットワークＩＦ部１４１を介して、ネットワーク１６０に設置されている呼制御サーバに送信する（Ｓ９３８）。
【０４５１】
そして、このようなＡＣＫメッセージを受信した呼制御サーバは、ＧＷ４２０Ｂに転送する（Ｓ９３９）。
【０４５２】
また、ＡＣＫメッセージを送信したＧＷ４２０Ａの全体制御部１３１は、ネットワークＩＦ部１４１を介して受信した２００ＯＫメッセージをＳＩＰ処理部４３４に出力し、ＳＩＰ処理部４３４が、メッセージボディ１７１ｃに格納されている情報を抽出して、抽出した情報を接続先テーブル１２３ａに登録する（Ｓ９４０）。なお、この際、ＳＩＰ処理部４３４は、通話テーブル１２４ａに必要な情報を格納する。
【０４５３】
次に、ＧＷ４２０ＡのＳＩＰ処理部４３４は、符号方式理切替部１３２に指示を出し、符号方式理切替部１３２は、接続先テーブル１２３ａに格納された符号化方式（ここでは、Ｇ．７２６）を符号処理部１３３に設定する（Ｓ９４１）。そして、全体制御部１３１は、ネットワークＩＦ部１４１を制御して、符号方式切替部１３２で特定した符号化方式に対応したパケットを送信するようにする。
【０４５４】
また、呼制御サーバからＡＣＫメッセージを受信したＧＷ４２０Ｂでは、ＳＩＰ処理部４３４が、符号方式切替部１３２に指示を出し、符号方式切替部１３２は、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７２６）を符号処理部１３３に設定する（Ｓ９４２）。そして、全体制御部１３１は、ネットワークＩＦ部１４１を制御して、符号方式切替部１３２で特定した符号化方式に対応したパケットを送信するようにする。
【０４５５】
なお、本実施形態においても、一つのセッションに複数の通話を収容する場合には、図１４に示すシーケンスを用いれば良く、また、切断処理についても、図１５及び図１６に示す処理を行えばよい。
【０４５６】
図３９は、本発明の第五の実施形態であるＧＷ５２０の概略図である。
【０４５７】
図示するようにＧＷ５２０は、記憶部５２１と、制御部５３０と、アナログ電話ＩＦ部１４０と、ネットワークＩＦ部１４１と、を備える。
【０４５８】
ここで、本実施形態におけるＧＷ５２０は、第一の実施形態と比較して、記憶部５２１及び制御部５３０が異なっているため、以下この異なっている点に関連する事項について説明する。
【０４５９】
記憶部５２１は、接続先情報記憶領域１２３と、通話情報記憶領域１２４と、接続元情報記憶領域５２８と、を備え、接続先情報記憶領域１２３及び通話情報記憶領域１２４に記憶する情報については、第一の実施形態と同様であるため、説明を省略する。
【０４６０】
接続元情報記憶領域５２８には、帯域（符号化方式）の切り替えを行う対象となる接続元を特定する情報が格納される。
【０４６１】
例えば、本実施形態においては、図４０（接続元テーブル５２８ａの概略図）に示されているような接続元テーブル５２８ａが、接続元情報記憶領域５２８に記憶される。
【０４６２】
図示するように、接続元テーブル５２８ａは、接続元ＧＷＮｏ欄５２８ｂが設けられており、本欄には、帯域（符号化方式）の切り替えを行う対象となる接続元を特定する情報として、ＳＩＰメッセージの通信経路において、ＩＮＶＩＴＥメッセージの接続元とされた電話端末１１０側のＧＷ５２０を一意に識別するための識別情報が格納される。本実施形態においては、当該識別情報として、ＧＷ毎に割り振られているＧＷＮｏが格納される。
【０４６３】
制御部５３０は、全体制御部１３１と、符号方式切替部１３２と、符号処理部１３３と、ＳＩＰ処理部５３４と、を備え、全体制御部１３１、符号方式切替部１３２及び符号処理部１３３は、第一の実施形態と同様であるため、説明を省略する。
【０４６４】
ＳＩＰ処理部５３４は、ＳＩＰを用いたメッセージを送受信等する処理を制御する。
【０４６５】
また、ＳＩＰ処理部５３４は、後述するアナログ電話ＩＦ部１４０を介して送受信するアナログ電話信号と、ネットワークＩＦ部１４１を介して送受信するＩＰパケットと、から取得される情報が、接続元テーブル５２８ａ、接続先テーブル１２３ａ又は通話テーブル１２４ａに格納されているか否かを確認する処理を行い、さらに、接続先テーブル１２３ａ又は通話テーブル１２４ａに必要な情報を格納し、削除する処理を行う。
【０４６６】
ここで、本実施形態においても、第一の実施形態で説明した図８〜図１２に示すＳＩＰメッセージを使用するが、ＩＮＶＩＴＥメッセージに対する２００ＯＫメッセージについては図４２に示すものを使用する。
【０４６７】
図４１は、本実施形態で使用するＩＮＶＩＴＥメッセージ５７０の構造を示す概略図である。
【０４６８】
図示するように、本実施形態で使用するＩＮＶＩＴＥメッセージ５７０は、スタートライン１７０ａと、ヘッダ部１７０ｂと、メッセージボディ５７０ｃと、を備える。
【０４６９】
スタートライン１７０ａ及びヘッダ部１７０ｂに格納する情報については、ＳＩＰに定めるフォーマットに従えばよいため、詳細な説明は省略する。
【０４７０】
メッセージボディ５７０ｃは、メッセージ種別格納領域１７０ｄと、接続元ＧＷＮｏ格納領域１７０ｅと、接続先ＧＷＮｏ格納領域１７０ｆと、接続先ＴＥＬＮｏ格納領域１７０ｇと、を備え、第一の実施形態とは異なり、符号化方式の種別を格納する領域は設けられていない。
【０４７１】
なお、メッセージ種別格納領域１７０ｄ、接続元ＧＷＮｏ格納領域１７０ｅ、接続先ＧＷＮｏ格納領域１７０ｆ及び接続先ＴＥＬＮｏ格納領域１７０ｇに格納する情報については、第一の実施形態におけるこれらの格納領域に対応するものと同様である。
【０４７２】
図４２は、本実施形態で使用する２００ＯＫメッセージ５７１の構造を示す概略図である。
【０４７３】
図示するように、本実施形態で使用する２００ＯＫメッセージ５７１は、スタートライン１７１ａと、ヘッダ部１７１ｂと、メッセージボディ５７１ｃと、を備える。
【０４７４】
スタートライン１７１ａ及びヘッダ部１７１ｂに格納する情報については、ＳＩＰに定めるフォーマットに従えばよいため、詳細な説明は省略する。
【０４７５】
メッセージボディ５７１ｃは、メッセージ種別格納領域１７１ｄと、接続元ＧＷＮｏ格納領域１７１ｅと、接続先ＧＷＮｏ格納領域１７１ｆと、応答種別格納領域１７１ｇと、符号化方式種別格納領域５７１ｈと、を有する。
【０４７６】
ここで、メッセージ種別格納領域１７１ｄ、接続元ＧＷＮｏ格納領域１７１ｅ、接続先ＧＷＮｏ格納領域１７１ｆ及び応答種別格納領域１７１ｇに格納する情報については、第一の実施形態におけるこれらの格納領域に対応するものと同様であるため、説明を省略する。
【０４７７】
符号化方式種別格納領域５７１ｈには、接続元ＧＷＮｏ格納領域１７０ｅで特定されるＧＷ５２０と、接続先ＧＷＮｏ格納領域１７０ｆで特定されるＧＷ５２０と、の間のセッションにおける通話で使用する符号化方式を特定する情報が格納される。
【０４７８】
図４３は、以上のように構成されるＧＷ５２０を用いた通信システムにおける接続処理を示すシーケンス図である。本シーケンスでは、ＧＷ５２０間に新たなセッションを確立する場合の処理を示す。
【０４７９】
なお、本実施形態においても、呼制御サーバはネットワーク１６０に接続されているものとし、また、ネットワーク１６０を介して確立されるセッションは、通常、符号化方式としてＧ．７１１が採用され、６４ｋの帯域で通信が行われるようにされているものとする。
【０４８０】
まず、電話端末１１０Ａは、電話端末１１０Ｃとの間で通話を行うために、発呼信号を送信する（Ｓ９５０）。ここでの発呼信号は、宛先である電話端末１１０Ｃの電話番号である＊３００と、電話端末１１０Ｃ側のＧＷ５２０Ｂの識別番号（ＧＷＮｏ）である６０００と、を特定したものであるとする。
【０４８１】
このような発呼信号を受信したＧＷ５２０Ａでは、全体制御部１３１が、発呼信号から電話端末１１０Ｃ側のＧＷ１２０ＢのＧＷＮｏ（６０００）を抽出して、ＳＩＰ処理部５３４に出力し、ＳＩＰ処理部５３４は、接続先テーブル１２３ａを検索し、電話端末１１０Ｃ側のＧＷ５２０ＢのＧＷＮｏ（６０００）が接続先テーブル１２３ａの接続先ＧＷＮｏ欄１２３ｄに格納されているか否かを確認する（Ｓ９５１）。ここでは、ＧＷ５２０ＢのＧＷＮｏは、接続先ＧＷＮｏ欄１２３ｄに格納されていないものとする。
【０４８２】
次に、ＧＷ５２０ＡのＳＩＰ処理部５３４は、図４１に示すようなＩＮＶＩＴＥメッセージ５７０を生成して、ネットワークＩＦ部１４１を介して、呼制御サーバに送信する（Ｓ９５２）。
【０４８３】
そして、ネットワーク１６０に設置されている呼制御サーバは、受信したＩＮＶＩＴＥメッセージを、呼制御サーバに登録されているレジスタ情報に基づいて、電話端末１１０Ｃ（ＧＷ５２０Ｂ）に転送する（Ｓ９５３）。
【０４８４】
次に、ＧＷ５２０Ｂの全体制御部１３１は、ネットワークＩＦ部１４１を介して受信したＩＮＶＩＴＥメッセージをＳＩＰ処理部５３４に出力し、ＳＩＰ処理部５３４が、メッセージボディ１７０ｃに格納されている情報を抽出して、抽出した情報を接続先テーブル１２３ａに登録する（Ｓ９５４）。
【０４８５】
また、ＧＷ５２０ＢのＳＩＰ処理部５３４は、接続元テーブル５２８ａを検索し、電話端末１１０Ａ側のＧＷ５２０ＡのＧＷＮｏ（５０００）が接続元テーブル５２８ａに格納されているか否かを確認する（Ｓ９５５）。ここでは、ＧＷ５２０ＢのＧＷＮｏが、接続元テーブル５２８ａに格納されているものとする。
【０４８６】
そして、ＧＷ５２０Ｂの全体制御部１３１は、ＩＮＶＩＴＥメッセージで宛先として特定された電話端末１１０Ｃに着呼信号を送信する（Ｓ９５６）。
【０４８７】
このような着呼信号を受信した電話端末１１０Ｃにおいて、着呼に応ずる手続がなされた場合には、電話端末１１０Ｃは、応答信号を出力する（Ｓ９５７）。
【０４８８】
このような応答信号を受信したＧＷ５２０Ｂでは、ＳＩＰ処理部５３４が、図４２に示すような２００ＯＫメッセージ５７１を生成して、ネットワークＩＦ部１４１を介して、ネットワーク１６０に設置されている呼制御サーバに送信する（Ｓ９５８）。この際、ＳＩＰ処理部５３４は、通話テーブル１２４ａに必要な情報を格納する。
【０４８９】
ここで、２００ＯＫメッセージの符号化方式種別格納領域５７１ｈには、通常の通信で使用される符号化方式（Ｇ．７１１（６４ｋ））よりも狹帯域の符号化方式（Ｇ．７２６（３２ｋ））を格納する。
【０４９０】
そして、このような２００ＯＫメッセージを受信した呼制御サーバは、ＧＷ５２０Ａに転送する（Ｓ９５９）。
【０４９１】
このような２００ＯＫメッセージを受信したＧＷ５２０Ａでは、ＳＩＰ処理部５３４が、ＡＣＫメッセージを生成して、ネットワークＩＦ部１４１を介して、ネットワーク１６０に設置されている呼制御サーバに送信する（Ｓ９６０）。
【０４９２】
そして、このようなＡＣＫメッセージを受信した呼制御サーバは、ＧＷ５２０Ｂに転送する（Ｓ９６１）。
【０４９３】
また、ＡＣＫメッセージを送信したＧＷ５２０Ａの全体制御部１３１は、ネットワークＩＦ部１４１を介して受信した２００ＯＫメッセージをＳＩＰ処理部５３４に出力し、ＳＩＰ処理部５３４が、メッセージボディ１７１ｃに格納されている情報を抽出して、抽出した情報を接続先テーブル１２３ａに格納する（Ｓ９６２）。この際、ＳＩＰ処理部５３４は、通話テーブル１２４ａに必要な情報を格納する。
【０４９４】
次に、ＧＷ５２０ＡのＳＩＰ処理部５３４は、符号方式切替部１３２に指示を出し、符号方式切替部１３２は、接続先テーブル１２３ａに格納された符号化方式（ここでは、Ｇ．７２６）を、符号処理部１３３に設定する（Ｓ９６３）。そして、全体制御部１３１は、ネットワークＩＦ部１４１を制御して、符号方式切替部１３２で特定した符号化方式に対応したパケットを送信するようにする。
【０４９５】
また、呼制御サーバからＡＣＫメッセージを受信したＧＷ５２０Ｂでは、ＳＩＰ処理部５３４が指示を出し、符号方式切替部１３２が、ＡＣＫメッセージの接続元ＧＷＮｏ格納領域１７１ｅ及び接続先ＧＷＮｏ格納領域１７１ｆに格納されているＧＷＮｏに対応する接続先テーブル１２３ａの符号化方式欄１２３ｅで特定される符号化方式（ここでは、Ｇ．７２６）を符号処理部１３３に設定する（Ｓ９６４）。そして、全体制御部１３１は、ネットワークＩＦ部１４１を制御して、符号方式切替部１３２で特定した符号化方式に対応したパケットを送信するようにする。
【０４９６】
このような処理を行うことにより、ＧＷ５２０Ａ及びＧＷ５２０Ｂ間にＳＩＰセッションが確立する（Ｓ９６５）。ここで確立するセッションの帯域は、６４ｋの帯域となる。
【０４９７】
そして、電話端末１１０Ａ及び電話端末１１０Ｃ間で通話が可能となり、これらの間の通話では、ＧＷ５２０Ａ及びＧＷ５２０Ｂ間においてＧ．７２６の符号化方式が利用され、３２ｋの帯域が使用される（Ｓ９６６）。
【０４９８】
なお、本実施形態においても、一つのセッションに複数の通話を収容する場合には、図１４に示すシーケンスを用いれば良いが、切替テーブル１２２ａを確認する処理は必要ない。また、切断処理についても、図１５及び図１６に示すシーケンスにより処理を行えばよい。
【０４９９】
以上に記載した実施形態においては、発呼を行う電話端末において、相手先の電話端末の電話番号と、相手先の電話端末側のＧＷのＧＷＮｏと、を特定するようにしているが、このような態様に限定されず、例えば、ＧＷに、電話端末の電話番号と、当該電話端末側のＧＷ（当該電話端末が接続されているＧＷ）のＧＷＮｏと、を対応させたテーブルを記憶させておくことにより、相手先の電話番号からＧＷＮｏを特定することができるようにしてもよい。
【０５００】
以上に記載した実施形態においては、ＧＷにおいてセッションを確立して、電話端末での通話を可能にしたが、このような態様に限定されず、例えば、本発明で説明したＧＷでの機能を電話端末に設けることも可能であり、また、終端装置に設けることも可能である。また、ネットワークを介して通信を行うことのできる他の装置（例えば、ルータ等）に設けることも可能である。
【０５０１】
以上のように、本発明によれば、一つのセッションに複数の通話を収容することができるため、例えば、ＮＧＮ（Next Generation Network）のように、ＳＩＰセッション毎に課金がされるような場合に、一つのセッションで複数の通話を行うことが可能となり、料金面において有利となる。
【図面の簡単な説明】
【０５０２】
【図１】第一の実施形態である通信システムの概略図。
【図２】ＧＷの概略図。
【図３】切替テーブルの概略図。
【図４】接続先テーブルの概略図。
【図５】通話テーブルの概略図。
【図６】符号化情報テーブルの概略図。
【図７】ＩＮＶＩＴＥメッセージの構造を示す概略図。
【図８】２００ＯＫメッセージの構造を示す概略図。
【図９】ＡＣＫメッセージの構造を示す概略図。
【図１０】ＢＹＥメッセージの構造を示す概略図。
【図１１】ＩＮＶＩＴＥ用のＭＥＳＳＡＧＥメッセージの構造を示す概略図。
【図１２】ＢＹＥ用のＭＥＳＳＡＧＥメッセージの構造を示す概略図。
【図１３】接続処理を示すシーケンス図。
【図１４】接続処理を示すシーケンス図。
【図１５】切断処理を示すシーケンス図。
【図１６】切断処理を示すシーケンス図。
【図１７】ＧＷが電話端末より発呼信号を受信する際の処理を示すフローチャート。
【図１８】ＧＷがＳＩＰメッセージを受信して接続を行う際の処理を示すフローチャート。
【図１９】ＧＷが電話端末より切断信号を受信する際の処理を示すフローチャート。
【図２０】ＧＷがＳＩＰメッセージを受信して切断を行う際の処理を示すフローチャート。
【図２１】第二の実施形態であるＧＷの概略図。
【図２２】ＩＮＶＩＴＥ用のＭＥＳＳＡＧＥメッセージの構造を示す概略図。
【図２３】ＢＹＥ用のＭＥＳＳＡＧＥメッセージの構造を示す概略図。
【図２４】接続処理を示すシーケンス図。
【図２５】接続処理を示すシーケンス図。
【図２６】切断処理を示すシーケンス図。
【図２７】第三の実施形態である通信システムの概略図。
【図２８】ＧＷの概略図。
【図２９】通話テーブルの概略図。
【図３０】登録テーブルの概略図。
【図３１】接続処理を示すシーケンス図。
【図３２】接続処理を示すシーケンス図。
【図３３】切断処理を示すシーケンス図。
【図３４】切断処理を示すシーケンス図。
【図３５】第四の実施形態であるＧＷの概略図。
【図３６】送信元テーブルの概略図。
【図３７】ＩＮＶＩＴＥ用のＭＥＳＳＡＧＥメッセージの構造を示す概略図。
【図３８】接続処理を示すシーケンス図。
【図３９】第五の実施形態であるＧＷの概略図。
【図４０】接続元テーブルの概略図。
【図４１】ＩＮＶＩＴＥメッセージの構造を示す概略図。
【図４２】２００ＯＫメッセージの構造を示す概略図。
【図４３】接続処理を示すシーケンス図。
【符号の説明】
【０５０３】
１００、３００  通信システム
１１０、３１０  電話端末
１２０、２２０、３２０、４２０、５２０  ＧＷ
１２１、３２１、４２１、５２１  記憶部
１２２  切替情報記憶領域
１２３  接続先情報記憶領域
１２４、３２４  通話情報記憶領域
１２５  符号化情報記憶領域
３２６  登録情報記憶領域
４２７  送信元情報記憶領域
５２８  接続先情報記憶領域
１３０、２３０、３３０、４３０、５３０  制御部
１３１、３３１  全体制御部
１３２、２３２  符号方式切替部
１３３  符号処理部
１３４、２３４、３３４、４３４、５３４  ＳＩＰ処理部
【図１】
0005279220.tif 000002
【図２】
0005279220.tif 000003
【図３】
0005279220.tif 000004
【図４】
0005279220.tif 000005
【図５】
0005279220.tif 000006
【図６】
0005279220.tif 000007
【図７】
0005279220.tif 000008
【図８】
0005279220.tif 000009
【図９】
0005279220.tif 000010
【図１０】
0005279220.tif 000011
【図１１】
0005279220.tif 000012
【図１２】
0005279220.tif 000013
【図１３】
0005279220.tif 000014
【図１４】
0005279220.tif 000015
【図１５】
0005279220.tif 000016
【図１６】
0005279220.tif 000017
【図１７】
0005279220.tif 000018
【図１８】
0005279220.tif 000019
【図１９】
0005279220.tif 000020
【図２０】
0005279220.tif 000021
【図２１】
0005279220.tif 000022
【図２２】
0005279220.tif 000023
【図２３】
0005279220.tif 000024
【図２４】
0005279220.tif 000025
【図２５】
0005279220.tif 000026
【図２６】
0005279220.tif 000027
【図２７】
0005279220.tif 000028
【図２８】
0005279220.tif 000029
【図２９】
0005279220.tif 000030
【図３０】
0005279220.tif 000031
【図３１】
0005279220.tif 000032
【図３２】
0005279220.tif 000033
【図３３】
0005279220.tif 000034
【図３４】
0005279220.tif 000035
【図３５】
0005279220.tif 000036
【図３６】
0005279220.tif 000037
【図３７】
0005279220.tif 000038
【図３８】
0005279220.tif 000039
【図３９】
0005279220.tif 000040
【図４０】
0005279220.tif 000041
【図４１】
0005279220.tif 000042
【図４２】
0005279220.tif 000043
【図４３】
0005279220.tif 000044